(57)【要約】【課題】改善された半導体のクリーニングのための技術に関する。【解決手段】第１のコンポーネントと、該第１のコンポーネントによって包囲されている第２のコンポーネントとを含むワークピースを保持するためのロボットハンドラにおいて、前記ロボットハンドラは、二つのアームを有するハンドルを含み、前記二つのアーム間の距離は前記第１のコンポーネント及び前記第２のコンポーネントを支持するために調整可能であり、前記ロボットハンドラは更に、前記二つのアーム間の距離を調整するために前記二つのアームと接続されている機構を含み、各アームは前記第１のコンポーネントを把持するための第１の部分と、前記第２のコンポーネントを把持するための第２の部分とを含み、前記第１の部分及び前記第２の部分は前記アームの異なる位置に設けられていることを特徴とする、ロボットハンドラ。【選択図】図２
2020107903.tif 000002
【特許請求の範囲】
【請求項１】
ワークピースをクリーニングするためのシステムにおいて、
該システムは、
ワークピースを搬送するための第１のロボット機構を含む第１のステーションと、
ワークピースを搬送するための第２のロボット機構を含む第２のステーションと、
ワークピースをクリーニングするように機能するチャンバとを含み、
前記チャンバは、ワークピースを前記第１のロボット機構によって前記第１のステーションから前記チャンバへと搬送するように機能する入口を含み、
前記チャンバは、ワークピースを前記第２のロボット機構によって前記チャンバから前記第２のステーションへと搬送するように機能する出口を含み、
前記第２のステーションは前記第１のステーションから隔離されており、
前記第２のステーションの環境は前記第１のステーションの環境よりも清浄であることを特徴とする、システム。
【請求項２】
前記第１のステーションを前記第２のステーションから隔離するために、前記チャンバの前記入口及び前記出口は同時には開放されない、請求項１に記載のシステム。
【請求項３】
更に、前記入口が開放されている間の前記第２のステーションから前記チャンバへのフロー、又は、前記出口が開放されている間の前記チャンバから前記第１のステーションへのフローを形成する機構を含む、請求項１に記載のシステム。
【請求項４】
前記第１のステーションは外部雰囲気へと繋がっているフィルタ層流を含み、
前記第２のステーションは、上げ床及びチラーと共に、フィルタ再循環ガス流を含む、請求項１に記載のシステム。
【請求項５】
更に、前記チャンバの前記出口においてカーテンフローを形成する機構を含む、請求項１に記載のシステム。
【請求項６】
ワークピースをクリーニングするための方法において、
第１のステーションから、チャンバの入口を介して、該チャンバへとワークピースを搬送するステップと、
前記チャンバにおいて前記ワークピースをクリーニングするステップと、
前記チャンバから、前記チャンバの出口を介して、第２のステーションにワークピースを搬送するステップとを備えており、
前記第２のステーションは前記第１のステーションから隔離されており、
前記第２のステーションの環境は前記第１のステーションの環境よりも清浄であることを特徴とする、方法。
【請求項７】
更に、前記ワークピースが前記第１のステーションから前記チャンバへと搬送される前に前記チャンバの前記出口を閉鎖するステップと、
前記ワークピースが前記チャンバから前記第２のステーションへと搬送される前に前記チャンバの前記入口を閉鎖するステップとを備えている、請求項６に記載の方法。
【請求項８】
更に、前記ワークピースを前記第１のステーションから前記チャンバへと搬送するために前記チャンバの前記入口が開放される前に、前記チャンバを加圧するステップと、
前記ワークピースを前記チャンバから前記第２のステーションへと搬送するために前記チャンバの前記出口が開放される前に、前記チャンバ内の圧力を低下させるステップとを備えている、請求項６に記載の方法。
【請求項９】
ワークピースをクリーニングするための方法において、
クリーニングチャンバと接している異なる清浄度レベルを有する二つの環境を形成するステップと、
クリーニングのために、ワークピースを比較的汚い環境から前記クリーニングチャンバへと搬送するステップと、
前記ワークピースを前記クリーニングチャンバから比較的清浄な環境へと搬送するステップとを備えており、
前記ワークピースの搬送中、前記二つの環境は相互に隔離されていることを特徴とする、方法。
【請求項１０】
第１のコンポーネントと、該第１のコンポーネントによって包囲されている第２のコンポーネントとを含むワークピースをクリーニングするためのシステムにおいて、
前記システムは、
前記第１のコンポーネントをクリーニングするように機能する第１のチャンバと、
前記第２のコンポーネントをクリーニングするように機能する第２のチャンバと、
前記第１のチャンバ及び前記第２のチャンバと接続されている第１のステーションとを含み、
前記第１のステーションは、前記第１のコンポーネントを前記第１のステーションから前記第１のチャンバへと搬送し、且つ、前記第２のコンポーネントを前記第１のステーションから前記第２のチャンバへと搬送するように機能する第１のロボット機構を含むことを特徴とする、システム。
【請求項１１】
前記第１のコンポーネント及び前記第２のコンポーネントはそれぞれ蓋及びボディを含み、
前記第１のチャンバ及び前記第２のチャンバはそれぞれ、前記蓋をクリーニングするように機能する第１の蓋チャンバ及び前記ボディをクリーニングするように機能する第１のボディチャンバを含む、請求項１０に記載のシステム。
【請求項１２】
前記第１のチャンバは第１の入口及び第１の出口を含み、前記第２のチャンバは第２の入口及び第２の出口を含み、前記第１のステーションは前記第１の入口及び前記第２の入口と接続されており、
前記システムは更に、
前記第１の出口及び前記第２の出口と接続されている第２のステーションを含み、
前記第２のステーションは、前記第１のコンポーネントを前記第１のチャンバから第２のステーションへと搬送し、且つ、前記第２のコンポーネントを前記第２のチャンバから前記第２のステーションへと搬送するように機能する第２のロボット機構を含む、請求項１０に記載のシステム。
【請求項１３】
前記第１のステーションは前記第２のステーションから隔離されている、請求項１２に記載のシステム。
【請求項１４】
更に、クリーニング後に前記第１のコンポーネント及び前記第２のコンポーネントの脱ガスを実現するように機能する、一つ又は複数の第３のチャンバを含む、請求項１０に記載のシステム。
【請求項１５】
更に、クリーニング後に前記第１のコンポーネント及び前記第２のコンポーネントの組み立てを実現するように機能する、一つ又は複数の第４のチャンバを含む、請求項１０に記載のシステム。
【請求項１６】
第１のコンポーネントと、該第１のコンポーネントによって包囲されている第２のコンポーネントとを含むワークピースをクリーニングするための方法において、
ワークピースの前記第１のコンポーネントを第１のステーションから第１のチャンバへと搬送するステップと、
前記ワークピースの第２のコンポーネントを前記第１のステーションから第２のチャンバへと搬送するステップと、
前記第１のチャンバ及び前記第２のチャンバにおいて、前記第１のコンポーネント及び前記第２のコンポーネントをクリーニングするステップとを備えていることを特徴とする、方法。
【請求項１７】
前記第１のチャンバは第１の入口及び第１の出口を含み、
前記第２のチャンバは第２の入口及び第２の出口を含み、
前記第１のコンポーネントは、前記第１のステーションから前記第１の入口を介して前記第１のチャンバへと搬送され、
前記第２のコンポーネントは、前記第１のステーションから前記第２の入口を介して前記第２のチャンバへと搬送され、
前記方法は更に、
前記第１のコンポーネントを、前記第１のチャンバから前記第１の出口を介して前記第２のステーションへと搬送するステップと、
前記第２のコンポーネントを、前記第２のチャンバから前記第２の出口を介して前記第２のステーションへと搬送するステップとを備えている、請求項１６に記載の方法。
【請求項１８】
更に、クリーニング後に、前記第１のコンポーネント及び前記第２のコンポーネントの脱ガスのために、該第１のコンポーネント及び該第２のコンポーネントを搬送するステップを備えている、請求項１６に記載の方法。
【請求項１９】
更に、前記第１のコンポーネント及び前記第２のコンポーネントが組み立てられるように機能する第４のチャンバに前記第１のコンポーネント及び前記第２のコンポーネントを搬送するステップを備えている、請求項１６に記載の方法。
【請求項２０】
第１のコンポーネントと、該第１のコンポーネントによって包囲されている第２のコンポーネントとを含むワークピースを保持するためのロボットハンドラにおいて、
前記ロボットハンドラは、
二つのアームを有するハンドルを含み、前記二つのアーム間の距離は前記第１のコンポーネント及び前記第２のコンポーネントを支持するために調整可能であり、
前記ロボットハンドラは更に、前記二つのアーム間の距離を調整するために前記二つのアームと接続されている機構を含み、
各アームは前記第１のコンポーネントを把持するための第１の部分と、前記第２のコンポーネントを把持するための第２の部分とを含み、
前記第１の部分及び前記第２の部分は前記アームの異なる位置に設けられていることを特徴とする、ロボットハンドラ。
【請求項２１】
更に、前記アームと接続されているインサートを含み、前記第１の部分は前記インサートの中央部分を含む、請求項２０に記載のシステム。
【請求項２２】
更に、前記アームと接続されているインサートを含み、前記第２の部分は前記インサートの上部部分又は下部部分を含む、請求項２０に記載のシステム。
【請求項２３】
更に、前記第１のコンポーネント又は前記第２のコンポーネントにおける凹部と嵌合させるためのピンを含む、請求項２０に記載のシステム。
【請求項２４】
第１のコンポーネントと、該第１のコンポーネントによって包囲されている第２のコンポーネントとを含むワークピースを搬送するための方法において、
前記第１のコンポーネントを包囲するために二つのグリッパアーム間の第１の距離を拡大するステップと、
前記グリッパアームにおける第１の部分において前記第１のコンポーネントを把持するステップと、
前記第１のコンポーネントを第１の目的地へと搬送するステップと、
前記第２のコンポーネントを包囲するために二つのグリッパアーム間の第２の距離を拡大するステップと、
前記グリッパアーム上で前記第１の部分とは異なる位置に設けられている、前記グリッパアームにおける第２の部分において前記第２のコンポーネントを把持するステップと、
前記第２のコンポーネントを第２の目的地へと搬送するステップとを備えていることを特徴とする、方法。
【請求項２５】
前記拡大及び把持を行うステップをモータによって実施する、請求項２４に記載の方法。
【請求項２６】
前記把持を行うステップをフィードバックセンサによって制御する、請求項２４に記載の方法。
【請求項２７】
更に、前記アームにおけるピンを、前記第１のコンポーネント又は前記第２のコンポーネントにおける凹部と嵌合させるステップを備えている、請求項２４に記載の方法。
【請求項２８】
ワークピースをクリーニングするためのシステムにおいて、
該システムは、
チャンバと、
クリーニング用液体を供給するように機能する一つ又は複数の第１のノズルと、
メガソニック液体を供給するように機能する一つ又は複数の第２のノズルと、
乾燥ガスを供給するように機能する一つ又は複数の第３のノズルと、
前記第２のノズルを第１の方向において移動させる第１の機構と、
前記ワークピースを前記第１の方向とは異なる第２の方向において移動させる第２の機構とを含むことを特徴とする、システム。
【請求項２９】
前記第２のノズルは、前記ワークピースの一方の側から前記ワークピースの反対の側へと周期的に移動する、請求項２８に記載のシステム。
【請求項３０】
前記ワークピースは垂直方向に移動する、請求項２８に記載のシステム。
【請求項３１】
前記第３のノズルは前記第１のノズルの上方に配置されている、請求項２８に記載のシステム。
【請求項３２】
前記第２のノズルは前記第１のノズルの上方に分散されて配置されている、請求項２８に記載のシステム。
【請求項３３】
ワークピースをクリーニングするための方法において、
ワークピースをクリーニングチャンバに供給するステップと、
前記ワークピースを第１の方向に移動させるステップと、
前記ワークピースにクリーニング用液体を噴霧するステップと、
前記ワークピースにメガソニック液体を噴霧するステップであって、前記メガソニック液体を前記第１の方向とは異なる第２の方向に移動させるステップと、
前記ワークピースに乾燥ガスを噴霧するステップとを備えていることを特徴とする、方法。
【請求項３４】
前記乾燥ガスを前記クリーニング用液体及び前記メガソニック液体の上に噴霧する、請求項３３に記載の方法。
【請求項３５】
前記クリーニング用液体を前記メガソニック液体と共に散在的に噴霧する、請求項３３に記載の方法。
【請求項３６】
更に、前記ワークピースが前記クリーニングチャンバに搬送される前に、前記クリーニングチャンバ内の圧力を一様にするステップを備えている、請求項３３に記載の方法。
【請求項３７】
更に、前記ワークピースが前記クリーニングチャンバの外に搬送される前に、前記クリーニングチャンバ内の圧力を一様にするステップを備えている、請求項３３に記載の方法。
【請求項３８】
ワークピースをクリーニングするためのシステムにおいて、
該システムは、
ワークピースをクリーニングするように機能する第１のチャンバと、
クリーニング後の前記ワークピースの脱ガスのための真空雰囲気を有する第２のチャンバと、
前記第１のチャンバと前記第２のチャンバとの間で前記ワークピースを搬送するためのロボット機構とを含むことを特徴とする、システム。
【請求項３９】
更に、前記第２のチャンバと接続されている第１の真空ポンプを含む、請求項３８に記載のシステム。
【請求項４０】
更に、前記第１の真空ポンプと前記第２のチャンバとの間に接続されている第１の遮断弁を含む、請求項３８に記載のシステム。
【請求項４１】
更に、前記第２のチャンバと接続されているガスモニタを含む、請求項３８に記載のシステム。
【請求項４２】
更に、ガスモニタと前記第２のチャンバとの間に接続されている第２の遮断弁を含む、請求項３８に記載のシステム。
【請求項４３】
更に、ガスモニタと前記第２のチャンバとの間に接続されている差動弁を含む、請求項３８に記載のシステム。
【請求項４４】
更に、差動弁と前記第２のチャンバとの間に接続されている第２の真空ポンプを含む、請求項３８に記載のシステム。
【請求項４５】
更に、前記第２のチャンバにおいて前記ワークピースを加熱するヒータを含む、請求項３８に記載のシステム。
【請求項４６】
更に、前記第２のチャンバに不活性ガスを注入するノズルを含む、請求項３８に記載のシステム。
【請求項４７】
第１のコンポーネントと、該第１のコンポーネントによって包囲されている第２のコンポーネントとを含むワークピースをクリーニングするためのシステムにおいて、
前記システムは、
前記ワークピースの前記第１のコンポーネントの脱ガスを行うように機能する第１のチャンバと、
第１の遮断弁を介して前記第１のチャンバと接続されている第１の真空ポンプと、
第２の遮断弁及び差動弁を含むアセンブリを介して前記第２のチャンバと接続されている第１のガスモニタと、
前記ガスモニタにおける真空雰囲気を維持するように機能する、前記第１のガスモニタと前記アセンブリとの間で流体が流れるように接続されている第２の真空ポンプと、
前記ワークピースの前記第２のコンポーネントの脱ガスを行うように機能する第２のチャンバと、
第３の遮断弁を介して前記第２のチャンバと接続されている第３の真空ポンプと、
第４の遮断弁を介して前記第２のチャンバと接続されている第２のガスモニタとを含むことを特徴とする、システム。
【請求項４８】
更に、前記第１のチャンバへと搬送される前に前記第１のコンポーネントをクリーニングするための第３のチャンバと、
前記第２のチャンバに搬送される前に前記第２のコンポーネントをクリーニングするための第４のチャンバとを含む、請求項４７に記載のシステム。
【請求項４９】
更に、前記第１のチャンバ又は前記第２のチャンバにおいて前記ワークピースを加熱するヒータと、
前記第２のチャンバに不活性ガスを注入するノズルとを含む、請求項４７に記載のシステム。
【請求項５０】
第１のコンポーネント及び第２のコンポーネントを含み、且つ、前記第１のコンポーネントは前記第２のコンポーネントを包囲しているワークピースをクリーニングするための方法において、
ワークピースの前記第１のコンポーネントを第１のチャンバへと搬送するステップと、
前記第１のチャンバ内の雰囲気をポンピングするステップと、
差動弁を介して前記第１のチャンバを第１のガスモニタと接続するステップと、
ワークピースの前記第２のコンポーネントを第２のチャンバへと搬送するステップと、
前記第２のチャンバ内の雰囲気をポンピングするステップと、
前記第２のチャンバを第２のガスモニタと直接的に接続するステップとを備えていることを特徴とする、方法。
【請求項５１】
更に、前記第１のチャンバへと搬送される前に前記第１のコンポーネントをクリーニングするステップと、
前記第２のチャンバに搬送される前に前記第２のコンポーネントをクリーニングするステップとを備えている、請求項５０に記載の方法。
【請求項５２】
更に、前記ポンピング中に、前記第１のチャンバ又は前記第２のチャンバに不活性ガスを注入するステップを備えている、請求項５０に記載の方法。
【請求項５３】
更に、前記ポンピング中に、前記第１のチャンバ又は前記第２のチャンバにおいて、前記第１のコンポーネント又は前記第２のコンポーネントを加熱するステップを備えている、請求項５０に記載の方法。
【請求項５４】
更に、前記第１のコンポーネント又は前記第２のコンポーネントが前記第１のチャンバ又は前記第２のチャンバの外へ搬送される前に、前記第１のチャンバ又は前記第２のチャンバを加圧するステップを備えている、請求項５０に記載の方法。
【請求項５５】
第１のコンポーネント及び第２のコンポーネントを含み、且つ、前記第１のコンポーネントは前記第２のコンポーネントを包囲しているワークピースをクリーニングするためのシステムにおいて、
前記システムは、
前記ワークピースの前記第１のコンポーネントをクリーニングするように機能する第１のチャンバと、
前記ワークピースの前記第２のコンポーネントをクリーニングするように機能する第２のチャンバと、
クリーニングの後に前記第１のコンポーネント及び前記第２のコンポーネントを組み立てるように機能する第３のチャンバと、
不活性ガスを前記第３のチャンバに供給するように機能する、前記第３のチャンバと接続されている第１のガス供給部と、
不活性ガスを前記第１のコンポーネント又は前記第２のコンポーネントの内部に供給するように機能する、前記第３のチャンバと接続されている第２のガス供給部とを含むことを特徴とする、システム。
【請求項５６】
前記第２のガス供給部を、前記第１のコンポーネントの開口部と接続するために、前記第３のチャンバ内へと突出させる、請求項５５に記載のシステム。
【請求項５７】
第１のコンポーネント及び第２のコンポーネントを含み、且つ、前記第１のコンポーネントは前記第２のコンポーネントを包囲しているワークピースをクリーニングするための方法において、
前記第１のコンポーネントをクリーニングするステップと、
前記第２のコンポーネントをクリーニングするステップと、
前記第１のコンポーネントをチャンバへと搬送するステップと、
前記第２のコンポーネントを前記チャンバへと搬送するステップと、
前記チャンバを不活性ガスでもって加圧するステップと、
前記第１のコンポーネント及び前記第２のコンポーネントを組み立て、組み立てられたワークピースを形成するステップとを備えていることを特徴とする、方法。
【請求項５８】
前記第１のコンポーネントを前記チャンバの外側においてガス供給部と接続されている管路に配置する、請求項５７に記載の方法。
【請求項５９】
更に、不活性ガスを前記管路へと流すステップを備えている、請求項５８に記載の方法。
【請求項６０】
第１のコンポーネントと、該第１のコンポーネントによって包囲されている第２のコンポーネントとを含むワークピースをクリーニングするためのシステムにおいて、
前記システムは、
前記ワークピースの前記第１のコンポーネントをクリーニングするように機能する第１のチャンバと、
前記ワークピースの前記第２のコンポーネントをクリーニングするように機能する第２のチャンバと、
組み立てられたワークピースを支持するように機能する第３のチャンバと、
不活性ガスを前記組み立てられたワークピースの内部に供給するように機能する、前記第３のチャンバと接続されているガス供給部とを含むことを特徴とする、システム。
【請求項６１】
前記ガス供給部を、前記第１のコンポーネントの開口部と接続するために、前記第３のチャンバ内へと突出させる、請求項６０に記載のシステム。
【請求項６２】
第１のコンポーネントと、該第１のコンポーネントによって包囲されている第２のコンポーネントとを含むワークピースをクリーニングするための方法において、
前記第１のコンポーネントをクリーニングするステップと、
前記第２のコンポーネントをクリーニングするステップと、
前記第１のコンポーネント及び前記第２のコンポーネントを組み立て、組み立てられたワークピースを形成するステップと、
不活性ガスを前記組み立てられたワークピースの内部へと流すステップとを備えていることを特徴とする、方法。
【請求項６３】
前記第１のコンポーネントを前記チャンバの外側においてガス供給部と接続されている管路に配置する、請求項６２に記載の方法。
【発明の詳細な説明】
【技術分野】
【０００１】
本出願は、２０１１年６月２３日に出願された、「Semiconductor cleaner systems and methods」と題する、米国仮特許出願第６１／５００，６０８号の優先権を主張するものであり、その開示内容は参照により本出願に組み込まれる。
【背景技術】
【０００２】
半導体コンポーネントの製造には、粒子、不純物又は異物の管理のような清浄度が要求される。それらの微粒子の存在によって、処理されるウェハ内での優良なデバイスの歩留まりに影響を及ぼす可能性がある。従って、それらのウェハの搬送は一般的に、特殊な搬送容器、例えばカセット、キャリア又はトレイ、また同様に、ＦＯＵＰ（Front Opening Unified Pod）、ＦＯＳＢ（Front-Opening Shipping Box）、ＳＭＩＦ（Standard Mechanical Interface）ポッド又はボックスを含む、閉鎖可能又はシーリング可能な容器又はボックスにおいて実施される。ＦＯＵＰは一般的に、ウェハを支持するために、対向する二つの長手側の面に櫛状のガイド部を有している。カバーがなければ、ＦＯＵＰは、矩形の表面領域を備えているポット状の基本形状を有している中空の容器である。ウェハの他に、レチクルもレチクルキャリアに保管され、このレチクルキャリアはレチクルストッカに保管される。レチクルキャリアは、必要に応じてマスク露光のためにリソグラフィツールへと搬送される。
【０００３】
ＦＯＵＰ及びレチクルキャリアは、半導体ウェハの処理において要求される、清浄度の基準を維持するために、必要に応じてクリーニングされなければならない。クリーニングプロセスを特殊なクリーニング及び乾燥機器において実施することができる。清浄度に対する要求が高まるにつれ、その清浄度に対する高まった要求と共に、現在の半導体工場におけるクリーニングサイクルの回数も増加している。例えば、或るウェハに起因する汚染を隣接するウェハが被ることを防止するために、ＦＯＵＰは使用の度にクリーニングされることが望ましい。
【０００４】
従って、ＦＯＵＰの完全なクリーニングに必要とされる時間を短縮することが所望される。更には、特に増加したクリーニングサイクルの観点から、クリーニングに関する消費量を可能な限り小さく維持することも所望される。他方では、現在の半導体工場の清浄度に関する要求を満たすために、クリーニングは極めて徹底的なものでなければならない。
【０００５】
発明の概要
一つの実施の形態においては、本発明はクリーニングシステムに関し、またキャリアのようなワークピースをクリーニングするためのプロセスに関する。クリーニングシステムは、別個の汚い環境及び清浄な環境の内の少なくとも一つと、二重容器キャリアの種々のコンポーネントのための別個のクリーニングチャンバと、同一のロボットハンドラを使用して種々のコンポーネントのピックアンドプレイスを行うためのグリッパアームと、異なる位置において異なるコンポーネントを保持するためのグリッパアームと、外側容器のための水平方向スピンクリーニング及び乾燥部と、熱水及び熱風（７０℃）クリーニングプロセス部と、乾燥のための熱風ノズルを用いた内側容器のクリーニングのための垂直方向ノズル及びラスタ化メガソニックノズルと、種々のコンポーネントの脱ガスを行う、例えば、一方は内側容器のため、他方は外側容器のための、パージガスを用いる高真空（例えば＜１０-6トル）の別個の真空汚染除去チャンバと、真空チャンバ内のヒータ及びガスモニタ（例えばＲＧＡセンサ）と、パージガスアセンブリステーションと、パージガス充填及び排出ステーションとを含んでいる。
【図面の簡単な説明】
【０００６】
【図１】クリーニングされるべきＥＵＶレチクルキャリアの例示的な構成を示す。
【図２】本発明の一つの実施の形態による、クリーニングシステムの例示的な構成を示す。
【図３Ａ】本発明の一つの実施の形態による、クリーニングシステムの構成を示す。
【図３Ｂ】本発明の一つの実施の形態による、クリーニングシステムの構成を示す。
【図３Ｃ】本発明の一つの実施の形態による、クリーニングシステムの構成を示す。
【図４Ａ】本発明の一つの実施の形態による、汚い環境及び清浄な環境に関する、例示的なフローの構成を示す。
【図４Ｂ】本発明の一つの実施の形態による、汚い環境及び清浄な環境に関する、例示的なフローの構成を示す。
【図５Ａ】本発明の一つの実施の形態による、クリーニングチャンバをパージするための例示的な構成を示す。
【図５Ｂ】本発明の一つの実施の形態による、クリーニングチャンバをパージするための例示的な構成を示す。
【図６Ａ】本発明の一つの実施の形態による、別個の汚い環境及び清浄な環境を使用して対象物をクリーニングするための例示的なフローチャートを示す。
【図６Ｂ】本発明の一つの実施の形態による、別個の汚い環境及び清浄な環境を使用して対象物をクリーニングするための例示的なフローチャートを示す。
【図７】本発明の一つの実施の形態による、別個の汚い環境及び清浄な環境を使用するクリーニングプロセスの別の実施例が示されている。
【図８Ａ】本発明の一つの実施の形態による、対象物の種々のコンポーネントのための、例示的な別個のクリーニングチャンバを示す。
【図８Ｂ】本発明の一つの実施の形態による、対象物の種々のコンポーネントのための、例示的な別個のクリーニングチャンバを示す。
【図９】本発明の一つの実施の形態による、対象物の種々のコンポーネントのための別個のクリーニングチャンバを使用する、例示的なクリーニングシステムを示す。
【図１０Ａ】本発明の一つの実施の形態による、別個のクリーニングチャンバを使用して対象物をクリーニングするための例示的なフローチャートを示す。
【図１０Ｂ】本発明の一つの実施の形態による、別個のクリーニングチャンバを使用して対象物をクリーニングするための例示的なフローチャートを示す。
【図１１】本発明の一つの実施の形態による、別個のクリーニングチャンバを使用して対象物を個別にクリーニングするための例示的なフローチャートを示す。
【図１２Ａ】本発明の一つの実施の形態による、例示的なロボットグリッパを示す。
【図１２Ｂ】本発明の一つの実施の形態による、例示的なロボットグリッパを示す。
【図１３Ａ】本発明の一つの実施の形態による、グリッパアームの例示的な把持構成を示す。
【図１３Ｂ】本発明の一つの実施の形態による、グリッパアームの例示的な把持構成を示す。
【図１３Ｃ】本発明の一つの実施の形態による、グリッパアームの例示的な把持構成を示す。
【図１４Ａ】本発明の一つの実施の形態による、本発明のグリッパアームを使用して対象物を把持するための例示的なフローチャートを示す。
【図１４Ｂ】本発明の一つの実施の形態による、本発明のグリッパアームを使用して対象物を把持するための例示的なフローチャートを示す。
【図１５】本発明の一つの実施の形態による、別個のクリーニングチャンバを使用して対象物を個別にクリーニングするための例示的なフローチャートを示す。
【図１６Ａ】本発明の一つの実施の形態による、対象物の例示的なクリーニングシーケンスを示す。
【図１６Ｂ】本発明の一つの実施の形態による、対象物の例示的なクリーニングシーケンスを示す。
【図１６Ｃ】本発明の一つの実施の形態による、対象物の例示的なクリーニングシーケンスを示す。
【図１７Ａ】本発明の一つの実施の形態による、対象物をクリーニングするための例示的なフローチャートを示す。
【図１７Ｂ】本発明の一つの実施の形態による、対象物をクリーニングするための例示的なフローチャートを示す。
【図１８Ａ】本発明の一つの実施の形態による、超音波液体スプレー又はメガソニック液体スプレーを使用する、例示的なクリーニングチャンバを示す。
【図１８Ｂ】本発明の一つの実施の形態による、超音波液体スプレー又はメガソニック液体スプレーを使用する、例示的なクリーニングチャンバを示す。
【図１８Ｃ】本発明の一つの実施の形態による、超音波液体スプレー又はメガソニック液体スプレーを使用する、例示的なクリーニングチャンバを示す。
【図１９Ａ】本発明の一つの実施の形態による、超音波液体スプレー又はメガソニック液体スプレーを使用する、例示的なクリーニングチャンバを示す。
【図１９Ｂ】本発明の一つの実施の形態による、超音波液体スプレー又はメガソニック液体スプレーを使用する、例示的なクリーニングチャンバを示す。
【図２０Ａ】本発明の一つの実施の形態による、対象物をクリーニングするための例示的なフローチャートを示す。
【図２０Ｂ】本発明の一つの実施の形態による、対象物をクリーニングするための例示的なフローチャートを示す。
【図２１Ａ】本発明の一つの実施の形態による、例示的な汚染除去チャンバを示す。
【図２１Ｂ】本発明の一つの実施の形態による、別の例示的な汚染除去チャンバを示す。
【図２２Ａ】本発明の一つの実施の形態による、対象物を汚染除去するための例示的なフローチャートを示す。
【図２２Ｂ】本発明の一つの実施の形態による、対象物を汚染除去するための例示的なフローチャートを示す。
【図２３Ａ】本発明の一つの実施の形態による、例示的なアセンブリステーション及び例示的な組み立てプロセスを示す。
【図２３Ｂ】本発明の一つの実施の形態による、例示的なアセンブリステーション及び例示的な組み立てプロセスを示す。
【図２４Ａ】本発明の一つの実施の形態による、対象物を組み立てるための例示的なフローチャートを示す。
【図２４Ｂ】本発明の一つの実施の形態による、対象物を組み立てるための例示的なフローチャートを示す。
【図２５】本発明の一つの実施の形態による、パージノズルを有している搬送及び／又は保管ステーションを例示的に示す。
【図２６Ａ】本発明の幾つか実施の形態による、クリーナの実施例を示す。
【図２６Ｂ】本発明の幾つか実施の形態による、クリーナの実施例を示す。
【図２７】本発明の幾つか実施の形態による、ハイブリッド型クリーニングシステムの実施例を示す。
【図２８】本発明の幾つか実施の形態による、クリーニングシステムの実施例を示す。
【発明を実施するための形態】
【０００７】
本発明は、対象物、例えば半導体ワークピース容器及びレチクルキャリアの統合型クリーニングのための方法及び装置に関する。クリーニングプロセスは液体クリーニング、乾燥及び真空式汚染除去を含むことができる。
【０００８】
クリーニング方法は、粒子及び／又は汚染物、例えば有機金属、無機金属、自然酸化物及び粒子状物質を除去し、また露落ちを除去するように実施される。クリーニングは、半導体製品、例えばカセット、ＦＯＵＰ、ホルダ、キャリア等にとって決定的な必要条件となり得る。クリーニングプロセスにおいては、数ミクロンからサブミクロンのレベルまでの範囲の粒子の除去、並びに微量汚染物（金属又は鉄）の削減が、半導体クリーニング産業の関心事の一部となっている。
【０００９】
クリーニングプロセスは最小限の液体残留物での対象物の効果的なクリーニングを提供することができ、それによって後続の乾燥プロセスを支援することができる。例えば、クリーニングされるべき製品は最小限の液だめで、例えば水平な表面又は垂直な表面に位置決めされる。更に、潜在的な液だめ個所では、何らかの溜まった液体を吹き飛ばし、液体残留物の最小化及び乾燥プロセスの補助が支援されるようにガスノズルを配置することができる。ガスノズルは有利には窒素又は除菌空気を供給するが、しかしながら液体又は空気を含む液体も供給することができる。一つの態様においては、ガスノズルはクリーニング動作を実行し、また液体ノズルは溜まった液体を除去することができる。
【００１０】
一つの実施の形態においては、本発明は、超紫外線（ＥＵＶ）レチクルキャリアのような高レベル清浄度製品のためのクリーニングプロセス及びクリーニングシステムに関する。以下では、ＥＵＶレチクルキャリアを例として説明するが、しかしながら本発明はこれに限定されることはなく、例えば低微粒子汚染物及び低ガス発生成分のような厳密な清浄度が要求される他の対象物に対しても適用することができる。
【００１１】
図１には、クリーニングされるべきＥＵＶレチクルキャリア７９の例示的な構成が示されている。ＥＵＶレチクル７０は典型的には、内側容器と外側容器との間の空間７７に窒素が含まれている、二重容器キャリア７９内に保管される。内側容器は典型的には金属から成り、上部蓋７１と、それと対を成す下部支持部７２とから構成されている。外側容器は典型的には低ガス発生ポリマーから成り、上部蓋７３と、それと対を成す下部支持部７４とから構成されている。両容器はオペレータ又は自動搬送システムによる保持のための把手を有することができる。把手７５は外側容器の上部蓋７３に対して示されている。外側容器の支持部７４は、レチクルキャリアの内部容積７７に対する窒素パージを可能にするための導入部を有することができる。
【００１２】
二重容器ＥＵＶレチクルキャリアは、半導体処理に関する清浄度の高いレベルを表す一例であり、そこではレチクルが汚染防止のために二つのレベルで保管されている。更に、二つのレベル間の容積には、バクテリアの成長を回避するために、又は外側容器から内側容器にガス発生粒子が付着することを防止するために、窒素がパージされる。従って、そのようなクリーニングされる対象物のためのクリーニングシステムは、クリーニングが行われた後の清浄度の所望のレベルを維持するために改善された機能を必要とする。
【００１３】
一つの実施の形態においては、本発明は、クリーニング前の汚い環境とクリーニング後の清浄な環境の隔離に関する。この隔離は、例えば、クリーニングされた対象物が汚い環境における汚染物によって汚染されることを防止することによって、クリーニングされた後の対象物の清浄度を維持することができる。以下の記述において、「汚い」という語句は「清浄な」という語句との関係を表すために使用され、余り清浄ではない環境を表すことを意図している。例えば、日常の運転操作に関しては例えばクリーニングが必要とされないが、半導体プロセスにおいて要求される清浄度レベルに関しては、それが必要とされる対象物は汚れていると考えられる。対象物が汚い状態にある場合、クリーニング後に以前に比べて清浄である対象物は清浄である。
【００１４】
一つの実施の形態においては、クリーニングシステムが、隔離されている汚い環境と清浄な環境を連通させるための、別個の入口ポート及び出口ポートを備えている、一つ又は複数のクリーニングチャンバを含んでいる。例えば、クリーニングチャンバは、クリーニングされるべき対象物を受け入れるために、汚い環境と接続されている入口ポートを有している。クリーニングチャンバは、そのクリーニングチャンバにおいてクリーニングされた後に対象物を清浄な環境へと搬送するために、清浄な環境と接続されている出口ポートを有している。従って、クリーニングチャンバによってクリーニングシステムは入口側の汚い環境と出口側の清浄な環境とに分けられる。クリーニングチャンバの入口ポート及び出口ポートは、汚い環境と清浄な環境との間の相互汚染を防止するために同期されている。例えば、汚い環境における汚い空気が清浄な環境に侵入することを防止するために、一つの時点においては一つのポートしか開放されない。一つの実施の形態においては、クリーニングチャンバは、清浄な環境へと続く出口ポートが開放される前に、パージガス（清浄な圧縮空気又は窒素）でクリーニングされる。更に、汚い環境へと続く入口ポートが開放される前に、クリーニングチャンバ内に正圧を発生させることができ、従って、汚い環境からの汚い空気のあらゆる逆流を最小限にすることができる。清浄な環境へと続く出口ポートが開放される前に、クリーニングチャンバ内に負圧を発生させることができ、従って、清浄な環境への汚い空気の何らかの逆流を最小限にすることができる。
【００１５】
一つの実施の形態においては、種々の投入ポートを使用することができる。例えば、入口側の投入ポートは、クリーニングされるべき対象物を受け入れるために、汚い環境において使用される。別個の出口側の取り出しポートは、クリーニングされた対象物を送り出すために、清浄な環境において使用される。更に、種々のロボット処理システムを使用することができる。例えば、汚いロボットは汚い環境において使用され、また別個の清浄なロボットは清浄な環境において使用される。
【００１６】
汚い環境と清浄な環境とで異なるレベルの清浄度を生じさせることができる。例えば、汚い環境はフィルタ層流を有することができる。清浄な環境は上げ床及びチラーを用いて改善された清浄度、例えば、フィルタリングされ再循環空気流又は再循環窒素流を有することができる。清浄な環境におけるフローの再循環は清浄なチャンバを外部雰囲気から隔離させることができ、従って、外部の空気に由来する、考えられるあらゆる汚染物を最小限にすることができる。チラーを再循環路内に設置することができ、これによって、空気流又は窒素流が冷却され、また空気分子の熱擾乱が防止される。
【００１７】
更に、クリーニングチャンバの出口ポートとの接続部における天井及び床にある送風機によって形成される清浄なエアカーテンは更に、清浄な環境が汚い環境に場合によっては連接されることを阻止することができる。
【００１８】
一つの実施の形態においては、清浄な環境へのアクセスを最小限にし、従って、清浄な環境を可能な限り清浄に維持するために、使用可能なコンポーネントが有利には汚い環境に配置される。
【００１９】
図２には、本発明の一つの実施の形態による、クリーニングシステムの例示的な構成が示されている。クリーニングチャンバ１４は汚い環境１２を清浄な環境１６から隔離する。汚いロボット１２Ｂ及び入口側の投入ポート１２Ａは汚い環境１２内に位置し、また、清浄なロボット１６Ｂ及び出口側の取り出しポート１６Ａは清浄な環境１６内に位置する。典型的なワークピースの流れでは、クリーニングされるべき対象物、例えばＥＵＶレチクルキャリアは、矢印１１によって表されているように、入口側の投入ポート１２Ａに投入され、続いて、汚いロボット１２Ｂによって、矢印１３によって表されているように、クリーニングチャンバ１４へと搬送される。クリーニングチャンバ１４においてクリーニングが行われた後に、クリーニングされた対象物は、清浄なロボット１６Ｂによって、矢印１５によって表されているように、出口側の取り出しポート１６Ａへと搬送され、そこにおいて矢印１７によって表されているように、取り出される。クリーニングチャンバは別個の入口扉及び出口扉を有することができる。汚い対象物は汚い入口扉１３から入室し、クリーニングされた対象物は清浄な出口扉１５から退室する。更に、汚い環境と清浄な環境との間の相互汚染の防止を更に考慮することができる。例えば、清浄な対象物の搬送中に、清浄な環境からの層流を発生させるために比較的高い圧力を清浄な環境内に生じさせることができ、これにより汚い環境からの粒子の逆流が最小限にされる。更には、例えば、クリーニングチャンバの扉と連動させ、入口扉と出口扉が同時に開放されることを防止することによって、清浄な環境と汚い環境を隔離することができる。
【００２０】
図３Ａから図３Ｃには、本発明の一つの実施の形態による、クリーニングシステムの種々の構成が示されている。図３Ａには、汚い環境２２及び清浄な環境２６が、入口側の投入ポート２１及び出口側の取り出しポート２７と共に相互に並んで配置されている。入口側の投入扉２１Ａは汚い対象物を入口側の投入ポート２１に収容するために最初は開放されている。入口側の投入扉２１Ａの閉鎖後に、出口側の投入扉２１Ｂが開かれ、汚い対象物を汚いロボットによってピックアップすることができる。出口側の投入扉２１Ｂの閉鎖後に、入口側のチャンバ扉２４Ａが開かれ、汚い対象物をクリーニングチャンバ２４へと搬送することができる。クリーニング後には、対象物を出口側のチャンバ扉２４Ｂへと搬送することができ、この出口側のチャンバ扉２４Ｂは、清浄なロボットによってクリーニングされた対象物をピックアップできるように開放される。クリーニングされた対象物は続いて出口側の取り出しポート２７へと搬送され、更に、扉２７Ｂ及び２７Ａを介して外部雰囲気へと搬送される。
【００２１】
図３Ｂには、クリーニングチャンバ２４が対向している入口扉２４Ａ及び出口扉２４Ｂの二つの扉を有している別の構成が示されている。図３Ｃには、クリーニングシステムが複数のクリーニングチャンバを有している別の構成が示されており、ここでは二つのクリーニングチャンバ２４’及び２４''が図示されている。汚い環境及び清浄な環境における直線状の各ガイド２２Ｂ及び２６Ｂによって、汚いロボット２２Ａ及び清浄なロボット２６Ａはそれぞれ異なるクリーニングチャンバ２４’及び２４''間を往復するように移動することができる。
【００２２】
クリーニング前とクリーニング後の環境の隔離に付加的に、それらの環境を異なる清浄度に維持することができる。例えば、対象物が汚れている入口セクションでは、比較的汚い環境が発生していると考えられる。対象物のクリーニングが完了しており、従って比較的清浄である出口セクションでは、清浄な環境が発生していると考えられる。
【００２３】
図４Ａ及び図４Ｂには、本発明の一つの実施の形態による、汚い環境及び清浄な環境に関する、例示的なフローの構成が示されている。図４Ａは、フィルタシステム３２Ａを通過する、汚い環境３２における層流３２Ｂを示す。電子装置３１を汚い環境３２内に設けることができ、この汚い環境には供給扉３０を介してアクセスすることができる。清浄な環境３６は再循環流３６Ｂを有しており、この再循環流３６Ｂは、上げ床３７を通過して、チラー３８に流入し、フィルタシステム３６Ａによって濾過される。閉じられた環境は清浄な環境３６を外部雰囲気から隔離し、更に、清浄な環境の清浄度を改善する。二つの環境３２及び３６によってクリーニングチャンバ３４が挟まれており、このクリーニングチャンバ３４はパージガス導入部３５Ａ及びパージガス導出部３５Ｂを有している。
【００２４】
図４Ｂには、本発明の一つの実施の形態による、清浄な環境に関する、例示的なカーテンガス流が示されている。送風機システム３９Ｃはクリーニングチャンバの出口ポートの前に配置されており、従って清浄な環境におけるフロー３９Ｂが修正され、それによりカーテンフローが出口扉３４Ｂにおいて形成される。このカーテンフローはクリーニングチャンバ３４からのあらゆる逆流を最小限にすることができ、従って、清浄な環境とのあらゆる相互汚染を防止することができる。
【００２５】
クリーニングシステムの入口セクション及び出口セクションに対して清浄度の異なるレベルを維持することの他に、セクション間が連通されている間にガスパージを提供し、セクション間の相互汚染を最小限にすることができる。例えば、二つのセクション間の扉が開放されている間に、清浄な環境から汚い環境への正圧又は正フローを発生させることができる。択一的に、清浄な環境から汚い環境への正圧も形成するために、汚い環境において負圧を発生させることもできる。
【００２６】
図５Ａ及び図５Ｂには、本発明の一つの実施の形態による、クリーニングチャンバをパージするための例示的な構成が示されている。図５Ａにおいては、クリーニングチャンバ３４が加圧されているか、又は、汚い環境３２への入口扉が開放される前に、清浄ガス４５Ａがパージされる。入口扉が開放された後に、クリーニングチャンバ３４から汚い環境３２への正のフロー４２を発生させることができ、従って、汚い環境からの逆流に由来するあらゆる汚染物を最小限にすることができる。クリーニングチャンバ３４における圧力を汚い環境３２における圧力に等しくすることができるか、又はそれより高くすることができる。
【００２７】
図５Ｂにおいては、清浄な環境３６への出口扉が開放される前に、清浄ガス導入部４５Ａ及び清浄ガス導出部４５Ｂを用いて、クリーニングチャンバ３４の排気が行われるか、又は、圧力が制御される。出口扉が開放された後に、清浄な環境３６からクリーニングチャンバ３４への正のフロー４３を発生させることができ、従って、清浄な環境への逆流に起因するあらゆる相互汚染が最小限にされる。クリーニングチャンバ３４における圧力を清浄な環境３６における圧力に等しくすることができるか、又はそれより低くすることができる。
【００２８】
幾つかの実施の形態においては、本発明は、レチクルキャリアのようなワークピースをクリーニングするためのシステムに関する。システムは第１のステーションを含むことができ、この第１のステーションはワークピースを搬送するための第１のロボット機構を含んでいる。第１のステーションはクリーニングシステムの入口側のセクションであり、汚いワークピース、例えばクリーニングされなければならないワークピースを収容するために構成することができる。システムは第２のステーションを含むことができ、この第２のステーションはワークピースを搬送するための第２のロボット機構を含んでいる。第２のステーションはクリーニングシステムの出口側のセクションであり、清浄なワークピース、例えばクリーニングシステムによってクリーニングされたワークピースを収容するために構成することができる。システムはチャンバを含むことができ、このチャンバはワークピースをクリーニングするように機能する。チャンバは入口を有することができ、この入口はワークピースを第１のロボット機構によって第１のステーションからチャンバへと搬送できるように機能する。チャンバは出口を有することができ、この出口はワークピースを第２のロボット機構によってチャンバから第２のステーションへと搬送できるように機能する。チャンバはクリーニング用液体を供給するための液体ノズルと、乾燥ガスを供給するための乾燥ノズルと、ワークピースを加熱するための、オプションとしてのヒータとを有することができる。第２のステーションを第１のステーションから隔離することができる。一般的に、第１のステーション及び第２のステーションによってクリーニングチャンバは挟まれており、従って、それら二つのステーションは相互に隔離されている。幾つかの実施の形態においては、第１のステーション及び第２のステーションはクリーニングシステムの運転中にも隔離されている。例えば、クリーニングチャンバが第１のステーション及び第２のステーションそれぞれに対して開放されているときには、第１のステーション及び第２のステーションを隔離するようにクリーニングチャンバを構成することができる。第２のステーションに面している扉が開放されると、第１のステーションに面している扉を閉鎖することができ、従って第１のステーションと第２のステーションが隔離される。第２のステーションの環境は第１のステーションの環境よりも清浄である。第１のステーションは汚いワークピースを収容し、また第２のステーションは清浄なワークピースを収容するので、第２のステーションを第１のステーションよりも清浄に保つことはワークピースの清浄度に関して有益であると考えられる。例えば、第１のステーションは外部雰囲気へと案内されるフィルタ層流を含む。第２のステーションは、より清浄な雰囲気を維持することができる上げ床及びチラーと共にフィルタ再循環ガス流を含んでいる。システムはチャンバの出口においてカーテンフローを発生させる機構を含むことができる。
【００２９】
幾つかの実施の形態においては、クリーニングシステムは、複数のワークピースをクリーニングするための複数のチャンバを有することができる。例えば、ワークピースの第１のコンポーネントをクリーニングするために第１のチャンバを使用することができ、またワークピースの第２のコンポーネントをクリーニングするために第２のチャンバを使用することができる。システムは、チャンバへと搬送されるべきワークピースを収容するための、第１のステーションと接続されている入口側の投入ポートを含むことができる。システムは、チャンバからのワークピースを収容するための、第２のステーションと接続されている出口側の投入ポートを含むことができる。幾つかの実施の形態においては、第１のステーションと第２のステーションを隔離するために、チャンバの入口と出口は同時には開放されず、それにより第１のステーションが第２のステーションから隔離される。システムは、入口が開放されている間の第２のステーションからチャンバへのフロー、又は、出口が開放されている間のチャンバから第１のステーションへのフローを発生させる機構を含むことができる。
【００３０】
対象物が例えば（汚い）入口ポートから（クリーニングのための）クリーニングチャンバ、続いて（清浄な）出口ポートへと搬送される間に、クリーニングされた対象物の再汚染を最小限にするために複数の条件を設定することができる。
【００３１】
図６Ａ及び図６Ｂには、本発明の一つの実施の形態による、別個の汚い環境と清浄な環境とを使用して対象物をクリーニングするための例示的なフローチャートが示されている。図６Ａにおいては、オペレーション５０により、クリーニングチャンバと繋がっている、異なる清浄度レベルを有する二つの環境が発生される。オペレーション５１により、クリーニングされるべき対象物が比較的汚い環境からクリーニングチャンバへと搬送され、続いて比較的清浄な環境へと搬送され、その際、クリーニングされた対象物は相互汚染を防止するために比較的汚い環境から隔離されている。
【００３２】
図６Ｂにおいては、オペレーション５４により、クリーニングされるべき対象物が汚い環境へと運ばれる。オペレーション５５により、対象物が汚い環境からクリーニングチャンバへと搬送される。オペレーション５６により、対象物がクリーニングチャンバにおいてクリーニングされる。オペレーション５７により、クリーニングされた対象物がクリーニングチャンバから清浄な環境へと搬送され、その際、清浄な環境は相互汚染を防止するために汚い環境から隔離されている。オペレーション５８により、クリーニングされた対象物が清浄な環境の外に運び出される。
【００３３】
図７には、本発明の一つの実施の形態による、別個の汚い環境と清浄な環境とを使用する、別の例示的なクリーニングプロセスが示されている。図７においては、オペレーション６０により、クリーニングされるべき対象物を収容するための汚い環境と、クリーニングされた後の対象物を収容するための清浄な環境とが発生され、それら二つの環境は対象物をクリーニングするためのクリーニングチャンバに繋がっている。オペレーション６１により、汚染物を低減するために、汚い環境において層流が形成される。オペレーション６２により、クリーニングされるべき対象物が汚い環境へと運ばれる。オペレーション６３により、クリーニングチャンバが隔離され、汚い環境からの逆流を最小限にするために、汚い環境に対して開放される前にクリーニングチャンバが加圧される。オペレーション６４により、クリーニングされるべき対象物が汚い環境からクリーニングチャンバへと搬送される。オペレーション６５により、対象物がクリーニングチャンバにおいてクリーニングされる。オペレーション６６により、汚染物を低減するために、清浄な環境において再循環流が形成される。オペレーション６７により、清浄な環境における再循環流が冷却される、及び／又は、汚染物を低減するためにクリーニングチャンバの前にフローカーテンが形成される。オペレーション６８により、クリーニングチャンバが隔離され、クリーニングチャンバからの逆流を最小限にするために、清浄な環境に対して開放される前にクリーニングチャンバ内の圧力が低下される。オペレーション６９により、クリーニングされた対象物がクリーニングチャンバから清浄な環境へと搬送される。
【００３４】
幾つかの実施の形態においては、本発明は、ワークピースをクリーニングするための方法に関する。本方法は、クリーニングチャンバの入口を介して、第１のステーションからチャンバへとワークピースを搬送するステップを備えることができる。本方法は、クリーニングチャンバにおいてワークピースをクリーニングするステップを備えることができる。本方法は、チャンバの出口を介して、チャンバから第２のステーションへとワークピースを搬送するステップを含むことができる。第２のステーションは第１のステーションから隔離されている。第２のステーションの環境は第１のステーションの環境よりも清浄である。
【００３５】
幾つかの実施の形態においては、本方法は更に、第１のステーションへと搬送されるべきワークピースを入口側の投入ポートに投入するステップを備えることができる。また本方法は、ワークピースを第２のステーションから出口側の投入ポートに取り出すステップを備えることができる。また本方法は、ワークピースを第１のステーションからチャンバへと搬送する前に、チャンバの出口を閉鎖するステップを備えることができる。また本方法は、第１のステーションからチャンバへとワークピースを搬送するためにチャンバの入口を開放する前に、チャンバを加圧するステップを備えることができる。また本方法は、チャンバから第２のステーションへとワークピースを搬送する前に、チャンバの入口を閉鎖するステップを備えることができる。また本方法は、チャンバから第２のステーションへとワークピースを搬送するためにチャンバの出口を開放する前に、チャンバ内の圧力を低下させるステップを備えることができる。また本方法は、第２のステーションにおいて再循環ガス流を形成するステップを備えることができる。また本方法は、第２のステーションの環境を冷却するステップを備えることができる。また本方法は、チャンバの出口においてカーテンフローを形成するステップを備えることができる。
【００３６】
幾つかの実施の形態においては、本方法は、クリーニングチャンバと繋がっている、異なる清浄度レベルを有している二つの環境を発生させるステップと、クリーニングのために、比較的汚い環境からクリーニングチャンバへとワークピースを搬送するステップと、クリーニングチャンバから比較的清浄な環境へとワークピースを搬送するステップとを備えることができ、二つの環境はワークピースの搬送中に相互に隔離されている。
【００３７】
上記においては、汚い環境及び清浄な環境の二つの環境の間のクリーニングチャンバについて説明した。しかしながら、本発明はそれに限定されるものではなく、本発明を、入口側の汚い環境を出口側の清浄な環境から隔離することによって生じる清浄度のレベルを要求する、チャンバのあらゆる処理にも同様に適用することができる。
【００３８】
更に、クリーニングシステム及びワークピースのクリーニング方法は、別の段落において説明した特徴のような他の特徴も備えることができる。例えば、それらの特徴には、別個のクリーニングチャンバ、同一のロボットハンドラを使用して種々のコンポーネントのピックアンドプレイスを行うためのグリッパアーム、異なる位置において異なるコンポーネントを保持するためのグリッパアーム、外側容器のための水平方向スピンクリーニング及び乾燥部、熱水及び熱風クリーニングプロセス、乾燥のための熱風ノズルを用いるクリーニングのための垂直方向ノズル及びラスタ化メガソニックノズル、種々のコンポーネントの脱ガスのための真空汚染除去チャンバ、並びに、パージガス充填及び排出ステーションが含まれる。
【００３９】
一つの実施の形態においては、本発明は、一つの対象物の異なるコンポーネントのための別個のクリーニングチャンバに関する。この分離によって、クリーニングプロセス中の比較的汚いコンポーネントによる比較的清浄なコンポーネントの汚染を防止することができる。例えば、二重容器ＥＵＶレチクルキャリアの内側コンテナは対応する外側コンテナよりも清浄である。何故ならば、内側コンテナは、外側容器と不活性ガス雰囲気の両方によって保護されるように設計されているからである。従って、外側容器コンポーネント及び内側容器コンポーネントのための別個のクリーニングチャンバは、例えば内側のコンポーネントと外側のコンポーネントとが一緒にクリーニングされる場合には、クリーニング中の外側容器による内側容器の汚染を最小限にすることができる。
【００４０】
一つの実施の形態においては、クリーニングチャンバの数は清浄度のレベルに基づき決定されている。例えば、二重容器キャリアは清浄度に対する二つのレベル、即ち、外側容器に対する比較的汚いレベルと内側容器に対する比較的清浄なレベルとを有することができる。従って、二つの別個のクリーニングチャンバを使用することができる。第１のクリーニングチャンバは、外側容器の上部蓋及び下部支持部を含む二重容器キャリアの外側容器をクリーニングするために使用される。第２のクリーニングチャンバは、内側容器の上部蓋及び下部支持部を含む二重容器キャリアの内側容器をクリーニングするために使用される。
【００４１】
一つの実施の形態においては、清浄度のレベルを更に細分化することができる。例えば、容器の上部蓋及び下部支持部は汚染の異なるレベルを生じさせる可能性があるので、外側容器及び内側容器のそれぞれに対して二つの清浄度レベルが設定することにより、清浄度の四つのレベルを設定することができる。従って四つの別個のクリーニングチャンバを使用することができる。第１のクリーニングチャンバ及び第２のクリーニングチャンバは、二重容器キャリアの外側容器の上部蓋及び下部支持部をそれぞれクリーニングするために使用される。第３のクリーニングチャンバ及び第４のクリーニングチャンバは、二重容器キャリアの内側容器の上部蓋及び下部支持部をそれぞれクリーニングするために使用される。
【００４２】
一つの実施の形態においては、対象物の各コンポーネントが別個のクリーニングチャンバにおいて個別にクリーニングされる。例えば、二重容器キャリアを四つの別個のクリーニングチャンバにおいてクリーニングすることができる。つまり、外側容器の上部蓋、外側容器の下部支持部、内側容器の上部蓋及び内側容器の下部支持部の各々に対して、それぞれ一つのクリーニングチャンバが使用される。
【００４３】
図８Ａ及び図８Ｂには、本発明の一つの実施の形態による、対象物の種々のコンポーネントのための、例示的な別個のクリーニングチャンバが示されている。図８Ａにおいては、対象物の種々のコンポーネント、例えば二重容器キャリア８０の四つのコンポーネント８０Ａから８０Ｄをクリーニングするために、四つの異なるクリーニングチャンバ８３Ａから８３Ｄが相互に並んで配置されている。キャリア８０は投入ステーション８１に投入され、続いてコンポーネントが、グリッパアーム８２Ｂを有しているロボット８２Ａによって搬送ステーション８２にピックアップされる。ロボット８２Ａは、例えば直線状のガイド８２Ｃによって、複数のクリーニングチャンバ８３Ａから８３Ｄの間を走行することができる。
【００４４】
図８Ｂにおいては、クリーニングチャンバ８３Ａから８３Ｄが入口側の汚い環境８２を出口側の清浄な環境８６から隔離し、従って、クリーニングされるべき対象物に関する清浄度の付加的なレベルが提供される。二重容器キャリア８０のような対象物が入口側の投入ステーション８１に投入され、ロボット８２Ａによって汚い環境８２へと搬送される。この汚い環境８２から、個別にクリーニングされるべきキャリア８０のコンポーネントが、種々のクリーニングチャンバ８３Ａから８３Ｄに置かれる。クリーニングが行われた後には、清浄なロボット８６Ａが清浄な環境８６、ひいては出口側の送り出しステーション８７へのコンポーネントのピックアップアンドプレイスを行う。
【００４５】
図９には、本発明の一つの実施の形態による、対象物の種々のコンポーネントのための別個のクリーニングチャンバを使用する、例示的なクリーニングシステムが示されている。二重容器キャリア８０のような対象物が入口側の投入ステーション９１に投入され、ロボットによって汚い環境９２へと搬送される。その汚い環境９２から、個別にクリーニングされるべきキャリア８０のコンポーネントが、種々のクリーニングチャンバ９３に置かれる。クリーニングが行われた後には、清浄なロボットがコンポーネントをピックアップし、清浄な環境９６へと運ぶ。オプションとして、それらのコンポーネントをアセンブリステーション９８において組み立てる前にコンポーネントの脱ガスを行うために、脱ガスチャンバ９５Ａ及び９５Ｂを設けることができる。組み立てが行われた後には、組み立てられたキャリアは出口側の送り出しステーション９７へと送り出される。
【００４６】
一つの実施の形態においては、本発明は、クリーニングが行われた後にコンポーネントの汚染除去を行うための別個の脱ガスチャンバ９５Ａ及び９５Ｂに関する。四つの脱ガスチャンバを使用することができる。有利には二つの脱ガスチャンバが使用される。つまり、一方は内側容器のコンポーネントに対して使用され、他方は外側容器のコンポーネントに対して使用される。脱ガス汚染除去のために、二つの脱ガスチャンバを、内側容器及び外側容器の異なる部品のための四つのクリーニングチャンバと組み合わせて使用することによって、清浄度の複数のレベルを達成することができる。脱ガスチャンバに関しては後段において詳細に説明する。
【００４７】
一つの実施の形態においては、本発明は、各コンポーネントのクリーニング並びに脱ガスがそれぞれ行われた後に、それらのコンポーネントを一つに組み立てるためのアセンブリステーション９８に関する。アセンブリステーションは有利には、清浄な環境９６と同程度の清浄な環境、又は、それよりも更に清浄な環境を有している。例えば、アセンブリステーションを窒素で充填し、キャリア内部の容積を窒素で満たし、従って、潜在的な酸化の原因となる何らかの酸素又はバクテリアの成長を阻止することが保証される。アセンブリステーションに関しては後段において詳細に説明する。
【００４８】
幾つかの実施の形態においては、本発明は、第１のコンポーネントと、その第１のコンポーネントによって包囲されている第２のコンポーネントとを含むワークピースをクリーニングするためのシステムに関する。第１のコンポーネントはポリマー材料から成る外側のボックスであり、また蓋及びボディを含んでいる。第２のコンポーネントは金属材料から成る内側のボックスであり、また蓋及びボディを含んでいる。システムは、第１のコンポーネントをクリーニングするように機能する第１のチャンバと、第２のコンポーネントをクリーニングするように機能する第２のチャンバと、第１のチャンバ及び第２のチャンバと接続されている第１のステーションとを含むことができ、第１のステーションは、第１のコンポーネントを第１のステーションから第１のチャンバへと搬送し、また第２のコンポーネントを第１のステーションから第２のチャンバへと搬送するように機能する第１のロボット機構を含んでいる。
【００４９】
幾つかの実施の形態においては、第１のコンポーネントが蓋及びボディを含んでおり、第１のチャンバは蓋とボディの両方をクリーニングするように機能する。第１のコンポーネントは蓋及びボディを含むことができ、また第１のチャンバは蓋をクリーニングするように機能する第１の蓋チャンバと、ボディをクリーニングするように機能する第１のボディチャンバとを含むことができる。第２のコンポーネントは蓋及びボディを含むことができ、第２のチャンバは蓋とボディの両方をクリーニングするように機能する。第２のコンポーネントは蓋及びボディを含むことができ、また第２のチャンバは蓋をクリーニングするように機能する第２の蓋チャンバと、ボディをクリーニングするように機能する第２のボディチャンバとを含むことができる。第１のチャンバは第１の入口及び第１の出口を含むことができ、第２のチャンバは第２の入口及び第２の出口を含むことができ、第１のステーションは第１の入口及び第２の入口と接続されており、システムは更に第２のステーションを含むことができ、この第２のステーションは第１の出口及び第２の出口と接続されており、第２のステーションは第２のロボット機構を含むことができ、第２のロボット機構は第１のコンポーネントを第１のチャンバから第２のステーションへと搬送し、また第２のコンポーネントを第２のチャンバから第２のステーションへと搬送するように機能する。第１のステーションを第２のステーションから隔離することができる。システムは更に、ワークピースを収容するための第１のステーションと接続されている投入ポートを含んでおり、また、クリーニング後に第１のコンポーネント及び第２のコンポーネントの脱ガスを行うことができように機能する、一つ又は複数の第３のチャンバを含み、更に、クリーニング後に第１のコンポーネント及び第２のコンポーネントを組み立てることができるように機能する第４のチャンバを含んでいる。
【００５０】
図１０Ａ及び図１０Ｂには、本発明の一つの実施の形態による、別個のクリーニングチャンバを使用して対象物をクリーニングするための例示的なフローチャートが示されている。図１０Ａにおいては、オペレーション１００により、複数のコンポーネント、例えば二重容器キャリアを含んでいる、クリーニングされるべき対象物が収容される。オペレーション１０１により、対象物が個々のコンポーネントに分解される。例えば、二重容器キャリアを外側容器と内側容器に分解することができる。択一的に、二重容器キャリアを外側容器の蓋及び支持部並びに内側容器の蓋及び支持部に分解することができる。オペレーション１０２により、個々のコンポーネントがクリーニングのために別個のクリーニングチャンバへと搬送される。オペレーション１０３により、クリーニングされた個々のコンポーネントが、有利には清浄度を保つために清浄な雰囲気において組み立てられる。従って、アセンブリステーションは有利には、清浄度レベルを維持するために複数のクリーニングチャンバと統合されている。
【００５１】
図１０Ｂに基づき、別個の複数のクリーニングチャンバを用いて実施される別個の複数の環境について説明する。オペレーション１０４により、複数のコンポーネントから成る対象物が汚い環境へと運ばれる。オペレーション１０５により、個々のコンポーネントへの分解が行われ、相互汚染を防止するために、それらのコンポーネントが汚い環境から、クリーニングされるべき個々のクリーニングチャンバへと別個に搬送される。オペレーション１０６により、クリーニングされたコンポーネントがクリーニングチャンバから清浄な環境へと搬送され、この際、清浄な環境は相互汚染を防止するために汚い環境から隔離されている。オペレーション１０７により、クリーニングされたコンポーネントの条件が整えられる。例えば、クリーニングされたコンポーネントに真空汚染除去を実施し、コンポーネント内に閉じ込められたガスを除去することができる。オペレーション１０８によりクリーニングされた個々のコンポーネントが組み立てられる。
【００５２】
図１１には、本発明の一つの実施の形態による、別個のクリーニングチャンバを使用して対象物を個別にクリーニングするための例示的なフローチャートが示されている。オペレーション１１０により、汚い環境と清浄な環境とが形成され、それら二つの環境は複数のクリーニングチャンバに繋がっている。オペレーション１１１により、二重容器キャリアが汚い環境へと運ばれる。ここで、二重容器キャリアは、上部内側容器及び下部内側容器並びに上部外部容器及び下部外側容器から成る。オペレーション１１２により、二重容器キャリアが個々のコンポーネントに分解される。オペレーション１１３により、個々のコンポーネントがクリーニングのために別個のクリーニングチャンバへと搬送される。オペレーション１１４により、個々のコンポーネントが個々のクリーニングチャンバにおいてクリーニングされる。オペレーション１１５により、個々のコンポーネントがクリーニングチャンバから清浄な環境へと搬送される。オペレーション１１６により、複数の別個の脱ガスチャンバにおいて個々のコンポーネントの脱ガスが行われる。オペレーション１１７により、外側容器の内部に不活性ガスが充填されながら、クリーニングされた個々のコンポーネントが組み立てられて、二重容器キャリアが形成される。
【００５３】
幾つかの実施の形態においては、本発明は、第１のコンポーネントと、その第１のコンポーネントによって包囲されている第２のコンポーネントとを含むワークピースをクリーニングするための方法に関する。この方法は、ワークピースの第１のコンポーネントを第１のステーションから第１のチャンバへと搬送するステップと、ワークピースの第２のコンポーネントを第１のステーションから第２のチャンバへと搬送するステップと、第１のチャンバ及び第２のチャンバにおいて第１のコンポーネント及び第２のコンポーネントをクリーニングするステップとを備えることができる。
【００５４】
幾つかの実施の形態においては、この方法は更に、第１の出口を介して第１のコンポーネントを第１のチャンバから第２のステーションへと搬送するステップと、第２の出口を介して第２のコンポーネントを第２のチャンバから第２のステーションへと搬送するステップと、第１のコンポーネント及び第２のコンポーネントの脱ガスを行い第１のコンポーネント及び第２のコンポーネントを搬送するステップと、第１のコンポーネント及び第２のコンポーネントが組み立てられるように機能する第４のチャンバに第１のコンポーネント及び第２のコンポーネントを搬送するステップとを備えることができる。
【００５５】
更に、クリーニングシステム及びワークピースのクリーニング方法は、別の段落において説明した特徴のような他の特徴も備えることができる。例えば、それらの特徴には、別個の環境、同一のロボットハンドラを使用して種々のコンポーネントのピックアンドプレイスを行うためのグリッパアーム、異なる位置において異なるコンポーネントを保持するためのグリッパアーム、外側容器のための水平方向スピンクリーニング及び乾燥、熱水及び熱風クリーニングプロセス、乾燥のための熱風ノズルを用いたクリーニングのための垂直方向ノズル及びラスタ化メガソニックノズル、種々のコンポーネントのための脱ガスを行う真空汚染除去チャンバ、並びに、パージガス充填及び排出ステーションが含まれる。
【００５６】
一つの実施の形態においては、本発明は、クリーニングされるべき対象物を処理するためのロボットアームに関する。ロボットハンドラを一つ使用するだけで、対象物の全てのコンポーネントを処理することができる。択一的に、複数のロボットハンドラを使用することもできる。一つの実施の形態においては、二重容器キャリアの種々異なる大きさの全てのコンポーネントを処理するために、調整可能なグリッパアームを備えているグリッパハンドラが使用される。例えば、外側容器は内側容器よりも大きいので、グリッパアームは外側容器を処理するために伸長することができ、また内側容器を処理するために短縮することができる。従って、対象物の種々異なるコンポーネントの全てを処理するために、複数のグリッパアームを有している単一のロボットを使用することができる。
【００５７】
一つの実施の形態においては、更に、異なる清浄度レベルを有している異なるコンポーネントがロボットハンドラの異なる部分と接触することによって、対象物のコンポーネント間の相互汚染を回避するために、ロボットハンドラを設計することができる。例えば、グリッパアームはそのグリッパアームの異なる位置において異なるコンポーネントを把持する。グリッパアームの上部部分を、外側容器部分を支持するために使用することができる。グリッパアームの中央部分を、内側容器部分を支持するために使用することができる。
【００５８】
一つの実施の形態においては、ロボットハンドラは更に、粒子の発生を最小限にするために設計されている。例えば、グリッパアームは、粒子を発生させる可能性がある摩擦を最小限にするために、最小限の力でコンポーネントを把持するよう制御される。空気式の制御の代わりに、フィードバックセンサを用いるか、又はフィードバックセンサを用いない、モータによる制御でもって、キャリアコンポーネントを保持する際にグリッパアームによって形成される力を制御することもできる。
【００５９】
図１２Ａ及び図１２Ｂには、本発明の一つの実施の形態による、例示的なロボットグリッパが示されている。ロボットグリッパは、ハンドラ１２０と接続されている二つのグリッパアーム１２１Ａ及び１２１Ｂを含んでいる。モータのような移動機構１２６は、矢印１２７によって表されているように、グリッパアームを移動させることができ、それにより、異なるサイズの対象物を収容するためにグリッパアームのグリップが広げられるか、又は狭められる。モータは、把持されるべき対象物におけるグリッパアームからの力を制御するためのコントローラコンポーネント、例えば電流センサ（モータ内に取り付けられている、図示せず）又は圧力センサ１２５Ａ／１２５Ｂを有することができる。オプションとして、摩擦に起因する粒子の発生を更に低減するために、インサート１２２Ａ／１２２Ｂを含ませることができる。
【００６０】
図１３Ａから図１３Ｃには、本発明の一つの実施の形態による、グリッパアームの例示的な把持構成が示されている。図１３Ａにおいては、グリッパアーム１２１が内側容器のコンポーネント１３０（例えば上部蓋）を、グリッパアームインサート１２２の中央部分１３１から支承している。コンポーネント１３０の凹部１３７と嵌合させることによってコンポーネント１３０をロックするためにピン１３５を使用することができる（図１３Ｃを参照されたい）。図１３Ｂにおいては、グリッパアーム１２１が外側容器のコンポーネント１３２（例えば上部蓋）を、グリッパアームインサート１２２の上部部分１３３から支承している。コンポーネントの凹部と嵌合させることによってコンポーネント１３３をロックするためにピン１３５を使用することができる（図示せず、但し図１３Ｃに類似する）。従ってグリッパアームは、異なる位置（中央部分１３１及び上部部分１３３）において対象物の異なるコンポーネントを把持し、それにより、異なるレベルの清浄度を有している種々のコンポーネント間の相互汚染を最小限にすることができる。他の構成、例えばインサートの下部からコンポーネントを支承するグリッパアームか、又は、インサートを用いずにグリッパアームによって直接的にコンポーネントを支承するグリッパアームを使用することができる。
【００６１】
幾つかの実施の形態においては、本発明は、第１のコンポーネントと、その第１のコンポーネントによって包囲されている第２のコンポーネントとを含むワークピースを保持するためのロボットハンドラに関する。ロボットハンドラはハンドルを含むことができ、ハンドルは二つのアームを含み、二つのアーム間の距離は第１のコンポーネント及び第２のコンポーネントを支承するために調整可能であり、またロボットハンドラは二つのアーム間の距離を調整するために二つのアームと接続されている機構を含み、各アームは第１のコンポーネントを把持するための第１の部分と、第２のコンポーネントを把持するための第２の部分とを含み、第１の部分及び第２の部分はアームの異なる位置に設けられている。
【００６２】
幾つかの実施の形態においては、上記の機構はモータを含むことができる。第１の部分はアームの中央部分を含むことができる。第２の部分はアームの上部部分又は下部部分を含むことができる。ロボットハンドラは更に、第１のコンポーネント及び第２のコンポーネントに作用する力を制御するためのフィードバックセンサを含むことができる。ロボットハンドラはアームと接続されているインサートを含むことができ、第１の部分はインサートの中央部分を含んでいる。ロボットハンドラはアームと接続されているインサートを含むことができ、第２の部分はインサートの上部部分又は下部部分を含んでいる。ロボットハンドラは、第１のコンポーネント又は第２のコンポーネントにおける凹部と嵌合させるためのピンを含むことができる。
【００６３】
図１４Ａ及び図１４Ｂには、本発明の一つの実施の形態による、本発明のグリッパアームを使用して対象物を把持するための例示的なフローチャートが示されている。図１４Ａにおいては、オペレーション１４０により、作業対象物を包囲するためにグリッパアームが開かれる。オペレーション１４１により、作業対象物を保持するためにグリッパアームが閉じられる。オプションとして、オペレーション１４２により、グリッパアームにおける力が検出される。オペレーション１４３により、接触に起因する粒子の発生を最小限にするために、グリッパアームの力が制御される。
【００６４】
図１４Ｂにおいては、オペレーション１４４により、複数の別個のコンポーネントを含んでいる対象物が提供される。オペレーション１４５により、対象物のコンポーネントを包囲するためにグリッパアームが開かれる。オペレーション１４６により、グリッパアームが移動され、グリッパアームの所望の位置において対象物コンポーネントと接触され、グリッパアームの位置は対象物のコンポーネント間の相互汚染を最小限にするために選択される。オペレーション１４７により、対象物コンポーネントを保持するためにグリッパアームが閉じられる。
【００６５】
図１５には、本発明の一つの実施の形態による、別個のクリーニングチャンバを使用して対象物を個別にクリーニングするための例示的なフローチャートが示されている。オペレーション１５０により、グリッパアームが移動され、グリッパアームの第１の位置において外側容器の上部部分と接触される。オペレーション１５１により、外側容器の上部部分が第１のプロセスチャンバへと搬送される。オペレーション１５２により、グリッパアームが移動され、グリッパアームの第２の位置において内側容器の上部部分と接触される。オペレーション１５３により、内側容器の上部部分が第２のプロセスチャンバへと搬送される。オペレーション１５４により、グリッパアームが移動され、グリッパアームの第２の位置において内側容器の下部部分と接触される。オペレーション１５５により、内側容器の下部部分が第３のプロセスチャンバへと搬送される。オペレーション１５６により、グリッパアームが移動され、グリッパアームの第１の位置において外側容器の下部部分と接触される。オペレーション１５７により、外側容器の下部部分が第４のプロセスチャンバへと搬送される。
【００６６】
幾つかの実施の形態においては、本発明は、第１のコンポーネントと、その第１のコンポーネントによって包囲されている第２のコンポーネントとを含むワークピースを搬送するための方法に関する。本方法は、第１のコンポーネントを包囲するために二つのグリッパアーム間の第１の距離を拡大するステップと、グリッパアームにおける第１の部分において第１のコンポーネントを把持するステップと、第１のコンポーネントを第１の目的地へと搬送するステップと、第２のコンポーネントを包囲するために二つのグリッパアーム間の第２の距離を拡大するステップと、グリッパアームにおける第２の部分において第２のコンポーネントを把持するステップと、第２のコンポーネントを第２の目的地へと搬送するステップとを備えることができ、第１の部分及び第２の部分はアーム上の異なる位置に設けられている。
【００６７】
幾つかの実施の形態においては、上記の拡大と把持をモータによって実施することができる。本方法は更に、第１のコンポーネント又は第２のコンポーネントにおける凹部とアームにおけるピンを嵌合させるステップを備えることができる。
【００６８】
幾つかの実施の形態においては、第２のコンポーネントを包囲する第１のコンポーネントを有しているワークピースの搬送にロボットハンドラを使用することができる。ロボットハンドラを、本明細書に記載されている他の構成においても使用することができる。
【００６９】
一つの実施の形態においては、本発明は、一つの対象物の種々のコンポーネントをクリーニングするための種々異なるクリーニングチャンバに関する。対象物をクリーニングするために、複数の液体ノズルを対象物表面へと配向させることができる。液体ノズルは、クリーニング用液体、すすぎ液（例えばＤＩ水）、また、対象物の洗浄及び汚染除去のために作成された他の化学的な液体、例えば界面活性剤又は金属除去剤の混合物を供給することができる。超音波ノズル又はメガソニックノズルは、クリーニング能力を改善するために、エネルギ物質の液体を供給することができる。液体の量は、例えば、キャリアガス（例えば窒素、空気又は不活性ガス）と共に微細液滴及びエアロゾルガス気泡を噴霧することにより、綿密に制御することができる。液体ノズルは、ガス、例えば窒素又は除菌空気、若しくは、ガス／液体混合物を供給するように構成することができる。迅速に蒸発する液体、例えば沸点が低く且つ蒸気圧が高いアルコールを使用することができる。例えば蒸発による迅速な乾燥を支援するために、高温キャリアガス及び高温液体を利用することができる。更には、液体残留物及び液体デッドスポットが生じない良好な排水によって液体を除去できるように、チャンバ及び対象物の位置を設計することができる。更には、高速な排気及び低チャンバ圧力によって、例えば液体クリーニングサイクル中に乾燥ガスをパージすることによって、及び／又は、クリーニングチャンバ内部の真空圧力を維持することによって、液体蒸気を除去することができる。
【００７０】
ノズルが表面と重畳するように設計することができ、その場合、完全なクリーニングを保証するために表面が完全に覆われる。ノズルは例えば適切なクリーニング力を有するために、小角フローを提供することができる。衝撃角度はより強い力を生じさせるために表面に対して垂直であるか、又は、より高い表面被覆度を生じさせるために表面に沿っている。一つの態様においては、クリーニングされるべき対象物は半導体容器であり、従って、汚染物は微粒子又は金属汚染物である傾向があり、また本発明は、より広いカバレージエリアのクリーニングの低衝撃角度及び中圧を有する、クリーニングノズルに関する。
【００７１】
典型的なクリーニングプロセスにおいては、クリーニング用液体、例えば洗浄液が対象物、例えばレチクルキャリアコンポーネント上に噴霧される。添加剤、例えば界面活性剤、洗浄剤、又は、汚染物／金属除去剤を、例えば吸入又はポンピングによって水又は液体に添加することができる。汚染物／金属除去剤はキレート剤のような金属除去剤であって良い。界面活性剤の代わりに、高アルカリ性の洗浄剤を使用することができる。例えば、汚染物の除去を支援するためにＵＶ光も付加することができる。クリーニング及び／又は汚染物除去が完了すると、対象物は続いてすすぎ液、例えばＤＩ水の噴霧によってすすがれる。効果的なクリーニングのために、周期的なクリーニング／すすぎプロセスを実施することができる。クリーニング用液体をリサイクルのために収集することができる。
【００７２】
一つの実施の形態においては、クリーニングプロセスは、後続の乾燥プロセスを促進するために、小さい液体滴を提供する。更には、そのような滴を更に小さい滴へと分割するために、パージガス又は液体スプレーを供給することができる。液体が集合した領域、例えば表面の底部においては、例えば液体を吹き飛ばすことによって集合した大きい液体を小さい粒子に砕くために、ガス又は液体スプレーを提供することができる。
【００７３】
一つの実施の形態においては、液体残留物の除去の容易さに加えて、揮発性を高めるために液体を加熱することができる。更には、対象物及びプロセスチャンバも、例えばＩＲランプ又はＵＶランプによって加熱することができる。
【００７４】
クリーニングチャンバにおいては、重力によって液体が流れ落ちることができるように、対象物を位置決めすることができる。表面張力によって溜まっている液体残留物の除去を支援するために、ガス流、例えばガスノズルが提供する窒素、除菌空気、液体又は空気を含む液体を対象物に向けることができることによって、液体クリーニングの後に、対象物を乾燥させることができる。例えば、上部ガスノズルを上面へと配向できること、また他のガスノズルを、液体残留物が溜まる可能性のある対象物の不規則な形状へと配向できることに加えて、底部ガスノズルを対象物の底部へと配向できる。付加的に、脱水も使用することができる。
【００７５】
幾つかの実施の形態においては、本発明は、ワークピースをクリーニングするためのシステムに関する。このシステムは、チャンバ、クリーニング用液体を供給するように機能する一つ又は複数の第１のノズル、メガソニック液体を供給するように機能する一つ又は複数の第２のノズル、乾燥ガスを供給するように機能する一つ又は複数の第３のノズル、第２のノズルを第１の方向へと移動させる第１の機構、並びに、ワークピースを第１の方向とは異なる第２の方向へと移動させる第２の機構を含むことができる。
【００７６】
幾つかの実施の形態においては、第１の方向は水平方向であり、第２の方向は垂直方向である。第２のノズルをワークピースの一方の側からワークピースの反対の側へと周期的に移動させることができる。ワークピースを垂直方向に移動させることができる。第３のノズルを第１のノズルの上方に配置することができる。第２のノズルを第１のノズルと共に散在的に配置することができる。
【００７７】
図１６Ａから図１６Ｃには、本発明の一つの実施の形態による、対象物の例示的なクリーニングシーケンスが示されている。図１６Ａにおいては、二重容器キャリアの上部蓋のような対象物が、層流１６１の下で、汚い環境１６２からクリーニングチャンバ１６４へと搬送される。クリーニングチャンバは、例えば、清浄な環境へと続く扉が閉鎖されることによって、清浄な環境１６６から隔離されている。更に、パージガス１６３をクリーニングチャンバ１６４に供給し、汚い環境からクリーニングチャンバへの汚染物の逆流を防止することができる。
【００７８】
図１６Ｂにおいては、クリーニングチャンバが隔離されており、また液体及びガスノズル１６５は対象物をクリーニングするための液体及びガスを供給することができる。対象物を水平方向に配置することができ、またクリーニング及び乾燥プロセスを改善するために、対象物に対して回転クリーニング及び回転乾燥１６７を実施することができる。ノズル１６５は連続的に、例えば、先ずクリーニング用の液体を供給し、続けて乾燥のためのガスを供給するように機能することができる。高温液体及び高温ガスを使用することができる。クリーニング及び乾燥プロセスを支援する熱エネルギを供給するヒータを設けることができる。
【００７９】
図１６Ｃにおいては、出口扉が開放され、対象物が清浄な環境１６６へと運ばれる。例えば、清浄な環境への何らかの汚染物の逆流を防止するために、排気１６９によって、クリーニングチャンバ内に低圧を生じさせることができる。汚染物の逆流を更に最小にするためにカーテンガス１６８を使用することができる。
【００８０】
図１７Ａ及び図１７Ｂには、本発明の一つの実施の形態による、対象物をクリーニングするための例示的なフローチャートが示されている。図１７Ａにおいては、オペレーション１７０により、クリーニングされるべき対象物が回転される。オペレーション１７１により、対象物が高温液体スプレーによってクリーニングされる。オペレーション１７２により、対象物が高温ガスによって乾燥される。オペレーション１７３により、相互汚染を防止するために、クリーニングチャンバ内の圧力が入口側の環境と等しくされる。図１７Ｂにおいては、オペレーション１７４により、二重容器キャリアの外側容器のコンポーネントが、入口側の環境からクリーニングチャンバへと搬送される。オペレーション１７５により、コンポーネントが高温液体スプレー及び高温ガス乾燥によって回転式にクリーニングされる。オペレーション１７６により、相互汚染を防止するために、クリーニングチャンバ内の圧力が出口側の環境と等しくされる。オペレーション１７７により、クリーニングされたコンポーネントがクリーニングチャンバから出口側の環境へと搬送される。
【００８１】
一つの実施の形態においては、本発明は、高レベルの清浄度が要求されるコンポーネント、例えば二重容器キャリアの内側容器をクリーニングするための、新規のクリーニングチャンバ及びクリーニングプロセスに関する。クリーニングチャンバはラスタ化された超音波液体スプレー又はメガソニック液体スプレーを使用して、対象物をクリーニングする。一つの実施の形態においては、対象物が垂直方向に移動している間に、超音波ノズル又はメガソニックノズルが水平方向に移動し、従って、対象物の表面領域全体が超音波ノズル又はメガソニックノズルからのスプレーによって覆われる。更には、液体スプレーを事前クリーニングのために使用することができ、また乾燥ノズルを乾燥のために使用することができる。
【００８２】
図１８Ａから図１８Ｃ並びに図１９Ａ及び図１９Ｂには、本発明の一つの実施の形態による、超音波液体スプレー又はメガソニック液体スプレーが使用される、例示的なクリーニングチャンバが示されている。対象物が、有利にはクリーニングチャンバの上部部分から垂直方向において、クリーニングチャンバ１８４へと運ばれる。続いて対象物は、図１８Ａから図１８Ｃ並びに１９Ａ及び図１９Ｂにおいて連続的に示されているように、下部部分へと搬送され、その後、緩慢に上部部分へと戻るように引き上げられる１８３。下部部分においては、液体ノズル１８１がクリーニングのために液体を対象物１８０に供給する。液体ノズル１８１は有利には対象物から距離を置いて設けられており、従って、対象物の表面では大きい領域１８１Ａにわたるスプレーが行われる。超音波ノズル又はメガソニックノズル１８２は、対象物を緩慢に上昇させながら、対象物の上部部分をクリーニングし、また、ノズル１８２は連続的に対象物表面全体をクリーニングする。更に、超音波ノズル又はメガソニックノズルは水平方向１９１に移動し、従って、水平方向において対象物をクリーニングすることができる。超音波ノズル又はメガソニックノズルは有利には、効果的なクリーニングのために対象物に近接して配置されており、従って、対象物表面において小さい領域１８２Ａにわたる噴霧が行われる。超音波ノズル又はメガソニックノズルの水平方向の移動１９１及び対象物の垂直方向の移動１９３を含むラスタ化された動作により、超音波スプレー又はメガソニックスプレーは対象物の表面全体を覆うことができ、これにより効果的なクリーニングプロセスが提供される。
【００８３】
超音波ノズル又はメガソニックノズルの上方には複数の乾燥ノズル１８３が設けられており、それらの乾燥ノズル１８３は対象物を乾燥させ、また液体を吹き落とすために、下方の対象物へと向けられている。乾燥ノズル１８３を、下向き領域１８３Ａが提供されるように配置することができる。高温液体及び高温ガスをヒータと共に使用することができる。液体スプレー、超音波スプレー又はメガソニックスプレー並びに乾燥スプレーの組み合わせにより、高いレベルの清浄度で対象物をクリーニングすることができる。
【００８４】
図２０Ａ及び図２０Ｂには、本発明の一つの実施の形態による、対象物をクリーニングするための例示的なフローチャートが示されている。図２０Ａにおいては、オペレーション２００により、対象物が高温液体スプレーによってクリーニングされる。オペレーション２０１により、対象物がメガソニックスプレーによってラスタ状にクリーニングされる。オペレーション２０２により、対象物が高温ガスによって乾燥される。図２０Ｂにおいては、オペレーション２０３により、二重容器キャリアの内側容器のコンポーネントが、入口側の環境からクリーニングチャンバへと搬送される前に、相互汚染を防止するために、クリーニングチャンバにおける圧力が入口側の環境と等しくされる。オペレーション２０４により、コンポーネントが第１の方向において直線的に移動する。オペレーション２０５により、コンポーネントに高温液体が噴霧される。オペレーション２０６により、第２の方向に移動しながら、コンポーネントにメガソニック液体が噴霧される。オペレーション２０７により、コンポーネントが高温ガスによって乾燥される。オペレーション２０８により、クリーニングされたコンポーネントがクリーニングチャンバから出口側の環境へと搬送される前に、相互汚染を防止するために、クリーニングチャンバにおける圧力が出口側の環境と等しくされる。
【００８５】
幾つかの実施の形態においては、ワークピースをクリーニングするための方法は、ワークピースをクリーニングチャンバに供給するステップと、ワークピースを第１の方向に移動させるステップと、ワークピースにクリーニング用液体を噴霧するステップと、ワークピースにメガソニック液体を噴霧するステップであって、メガソニック液体を第１の方向とは異なる第２の方向に移動させるステップと、ワークピースに乾燥ガスを噴霧するステップとを備えている。メガソニックノズルをワークピースの一方の側からワークピースの反対の側へと周期的に移動させることができる。乾燥ガスをクリーニング用液体及びメガソニック液体の上に噴霧することができる。クリーニング用液体をメガソニック液体と共に散在的に噴霧することができる。この方法は更に、ワークピースがクリーニングチャンバに搬送される前にクリーニングチャンバ内の圧力を一様にする、及び／又は、ワークピースがクリーニングチャンバの外に搬送される前にクリーニングチャンバ内の圧力を一様にするステップを備えている。
【００８６】
一つの実施の形態においては、本発明は、クリーニング後にコンポーネントの汚染除去を行うための汚染除去チャンバに関する。汚染除去は、好ましくは例えば１０-3トルを下回る、又は、有利には１０-6トルを下回る高真空の真空チャンバを使用することができる。真空チャンバはコンポーネント内に閉じ込められたあらゆるガスを除去しながらコンポーネントの脱ガスを加速させることができる。
【００８７】
ポンピングが効率的であり、且つ、ポンピング伝導が高い構成が提供されるように、真空チャンバを設計することができる。真空チャンバは更に、例えばＩＲヒータ又はチャンバ壁ヒータのような加熱機構を含むことができる。ヒータは４０℃から９０℃の間で、有利には約７０℃に加熱することができる。加熱温度は材料に依存し、例えば１００℃未満の低温はポリマー材料にとって好適であり、また１００℃を上回る高温を金属に対して使用することができる。
【００８８】
一つの実施の形態においては、脱ガス監視センサ、例えば、残留ガス分析器を、真空チャンバ内の汚染物の放出を測定するために設けることができ、この場合、脱ガス監視センサは汚染除去プロセスを監視するために使用することができる。
【００８９】
一つの実施の形態においては、ガス発生汚染物によって残存しているあらゆる間隙を充填するために、不活性パージガス、例えば窒素ガスが真空チャンバの内部に供給される。汚染物の脱ガスを行い、続いて不活性ガスの充填を行いながら、加圧及び真空化を周期的に行うことができる。
【００９０】
一つの実施の形態においては、高真空下でコンポーネントの汚染除去が行われた後に、チャンバが開放の前に窒素を用いて加圧され、コンポーネントの表面が窒素分子によって効率的にコーティングされ（また内層面が充填され）、それにより清浄度が改善され、また粒子の付着が防止される。
【００９１】
図２１Ａには、本発明の一つの実施の形態による、例示的な汚染除去チャンバが示されている。真空チャンバ２１０は、その真空チャンバ２１０内に高真空を生じさせる真空ポンプ２１９、例えばターボポンプ又はクライオポンプと接続されている真空管路２１３を備えている。真空ポンプ管路を隔離するために遮断弁２１７Ａを設けることができる。ヒータ２１２はチャンバ及びコンポーネント２１１Ａ及び２１１Ｂを加熱するために真空チャンバ内に設けられている。ガス発生種を監視するためのＲＧＡのようなセンサ２１５を含むこともできる。ガスモニタ、例えばセンサ２１５を隔離するために遮断弁２１７Ｂを設けることができる。パージガス２１４は、例えばコンポーネントが外部へと搬送される前の汚染物の逆流を防止するために、不活性雰囲気を真空チャンバに提供することができる。コンポーネントが十分なガスを発生させるものではない場合には、ガスモニタ２１５を汚染除去チャンバと直接的に接続して使用することができる。例えば、金属材料から成る内側のボックスに関しては、ガス発生汚染物はポリマー材料に比べて少ない。
【００９２】
図２１Ｂには、本発明の一つの実施の形態による、別の例示的な汚染除去チャンバが示されている。真空チャンバ２１０は、その真空チャンバ２１０内に高真空を生じさせる真空ポンプ２１９、例えばターボポンプ又はクライオポンプと接続されている真空管路２１３を備えている。真空ポンプ管路を隔離するために遮断弁２１７Ａを設けることができる。ヒータ２１２はチャンバ及びコンポーネント２１１Ａ及び２１１Ｂを加熱するために真空チャンバ内に設けられている。ガス発生種を監視するためのＲＧＡのようなセンサ２１５を含むこともできる。ガスモニタ、例えばセンサ２１５を隔離するために、遮断弁２１７Ｂを設けることができる。パージガス２１４は、例えばコンポーネントが外部へと搬送される前の汚染物の逆流を防止するために、不活性雰囲気を真空チャンバに提供することができる。別の真空ポンプ２１９Ａを、弁２１７Ｂとガスモニタ２１５との間に接続することができ、これによりガスモニタに関する真空レベルが維持される。差動弁２１８をガスモニタとチャンバとの間に含ませることができる。差動弁は、チャンバからガスモニタへのフローを制限するために、（管路の直径と比較して）小さい穴を有することができる（それにより、差動弁の伝導性は管路の伝導性よりも低い）。従って、コンポーネントから放出されてガスモニタへと到達する汚染物を制限することができる。コンポーネントが十分なガスを発生させるものである場合には、差動弁を介するガスモニタ２１５と汚染除去チャンバとの接続を使用することができる。例えば、ポリマー材料から成る外側のボックスに関しては、ガス発生汚染物が多くなると考えられ、ガスモニタへの到達が制限されていなければガスモニタを飽和させることができる。
【００９３】
幾つかの実施の形態においては、ワークピースをクリーニングするためのシステムは、ワークピースをクリーニングするように機能動作する第１のチャンバと、クリーニングが行われた後にワークピースの脱ガスを行うための真空雰囲気を有する第２のチャンバと、第１のチャンバと第２のチャンバとの間でワークピースを搬送するためのロボット機構とを含むことができる。
【００９４】
システムは更に、第２のチャンバと接続されている第１の真空ポンプと、第１の真空ポンプと第２のチャンバとの間に接続されている第１の遮断弁と、第２のチャンバと接続されているガスモニタと、ガスモニタと第２のチャンバとの間に接続されている第２の遮断弁と、ガスモニタと第２のチャンバとの接続されている差動弁と、差動弁と第２のチャンバとの間に接続されている第２の真空ポンプと、第２のチャンバにおいてワークピースを加熱するためのヒータと、不活性ガスを第２のチャンバに注入するためのノズルとを含むことができる。
【００９５】
幾つかの実施の形態においては、本発明は、第１のコンポーネントと、その第１のコンポーネントによって包囲されている第２のコンポーネントとを含むワークピースをクリーニングするためのシステムに関する。システムは、ワークピースの第１のコンポーネントの脱ガスを行うように機能する第１のチャンバと、第１の遮断弁を介して第１のチャンバと接続されている第１の真空ポンプと、第２の遮断弁及び差動弁を含むアセンブリを介して第２のチャンバと接続されている第１のガスモニタと、ガスモニタにおける真空雰囲気を維持するように機能する、第１のガスモニタとアセンブリとの間で流体が流れるように接続されている第２の真空ポンプと、ワークピースの第２のコンポーネントの脱ガスを行うように機能する第２のチャンバと、第３の遮断弁を介して第２のチャンバと接続されている第３の真空ポンプと、第４の遮断弁を介して第２のチャンバと接続されている第２のガスモニタとを含むことができる。
【００９６】
システムは更に、第１のチャンバへと搬送される前に第１のコンポーネントをクリーニングするための第３のチャンバと、第２のチャンバへと搬送される前に第２のコンポーネントをクリーニングするための第４のチャンバと、第１のチャンバ又は第２のチャンバにおいてワークピースを加熱するためのヒータと、不活性ガスを第１のチャンバ又は第２のチャンバに注入するためのノズルとを含むことができる。
【００９７】
図２２Ａ及び図２２Ｂには、本発明の一つの実施の形態による、対象物の汚染除去を行うための例示的なフローチャートが示されている。図２２Ａにおいては、オペレーション２２０により、対象物がクリーニングされる。オペレーション２２１により、クリーニングされた対象物の脱ガスが行われる。オプションとして、オペレーション２２２により、不活性パージガスが注入される。オプションとして、オペレーション２２３により、対象物が加熱される。オプションとして、オペレーション２２４により、ガス発生種が監視される。オペレーション２２５により、対象物が運び出される前にチャンバが加圧される。
【００９８】
一つの実施の形態においては、本発明は更に、脱ガスのために対象物のコンポーネントを分割することによる対象物の汚染除去プロセスに関する。図２２Ｂにおいては、オペレーション２２６により、二重容器キャリアのコンポーネントが別個にクリーニングされる。オペレーション２２７により、脱ガスプロセスに関して類似のコンポーネントがグループ分けされる。オペレーション２２８により、二重容器キャリアが組み立てられる。
【００９９】
幾つかの実施の形態においては、本発明は、第１のコンポーネントと、その第１のコンポーネントによって包囲されている第２のコンポーネントとを含むワークピースをクリーニングするための方法に関する。この方法は、ワークピースの第１のコンポーネントを第１のチャンバへと搬送するステップと、第１のチャンバ内の雰囲気をポンピングするステップと、差動弁を介して第１のチャンバを第１のガスモニタと接続するステップと、ワークピースの第２のコンポーネントを第２のチャンバへと搬送するステップと、第２のチャンバ内の雰囲気をポンピングするステップと、第２のチャンバを第２のガスモニタと直接的に接続するステップとを備えることができる。
【０１００】
この方法は更に、第１のガスモニタからの信号が安定した後に、第１のチャンバを第１のガスモニタと直接的に接続するステップと、第１のチャンバ又は第２のチャンバにおけるガス状汚染物のレベルが所望のレベルに達した後にポンピングを停止するステップと、第１のチャンバへと搬送される前に第１のコンポーネントをクリーニングするステップと、第２のチャンバへと搬送される前に第２のコンポーネントをクリーニングするステップと、ポンピング中に不活性ガスを第１のチャンバ又は第２のチャンバに注入するステップと、ポンピング中に第１のチャンバ又は第２のチャンバにおいて第１のコンポーネント又は第２のコンポーネントを加熱するステップと、第１のコンポーネント又は第２のコンポーネントが第１のチャンバ又は第２のチャンバから運び出される前に、第１のチャンバ又は第２のチャンバを加圧するステップとを備えることができる。
【０１０１】
一つの実施の形態においては、本発明は、制御環境下で個別にクリーニングされたコンポーネントを組み立てるためのアセンブリステーション、有利には統合型アセンブリステーションに関する。高レベルの清浄度に関して、汚染物の潜在的な発生源に晒されることを回避することが考慮されるべきである。従って、個別にクリーニングされた後に、コンポーネントは清浄度のレベルを維持するために、例えば、外部雰囲気に晒されることによる内部容器の何らかの汚染を最小限にするために、清浄な環境下で組み立てられる。
【０１０２】
一つの実施の形態においては、アセンブリステーションに窒素が充填される。従って、搬送プロセスのために開放される前に窒素が充填された真空汚染除去チャンバからの搬送後には、コンポーネントが窒素の充填されているアセンブリステーションへと搬送される。従ってアセンブリステーションはクリーニング後のコンポーネントの清浄度を維持することができる。
【０１０３】
一つの実施の形態においては、本発明は、二重容器レチクルキャリアを組み立てるためのアセンブリステーションに関する。アセンブリステーションは、内側容器と外側容器との間に窒素がパージされた清浄な環境（有利には窒素環境）における組み立てプロセスを提供することができる。
【０１０４】
図２３Ａ及び図２３Ｂには、本発明の一つの実施の形態による、例示的なアセンブリステーション及び組み立てプロセスが示されている。組み立てられるべきコンポーネント２３１Ａ／２３１Ｂ及び２３２Ａ／２３２Ｂはアセンブリステーション２３０へと搬送される。このアセンブリステーション２３０は窒素パージガス導入部２３４を有している。下部支持部２３１Ｂが窒素ノズルに配置される。続いて下部支持部２３２Ｂ及び上部蓋２３２Ａが下部支持部２３１Ｂに配置される。続いて上部蓋２３１Ａがアセンブリステーションへと運ばれる。窒素ノズル２３５によって窒素を下部支持部２３１Ｂに供給しながら、上部蓋２３１Ａが下部支持部２３１Ｂと組み立てられ、その際に、下部支持部２３１Ｂ及び上部蓋２３１Ａによって形成される外側容器の内部容積に効果的に窒素がパージ及び供給される。アセンブリステーションは窒素雰囲気下、幾つかのケースにおいては有利には僅かな加圧下にあり、そのアセンブリステーションが開放されると、続いて、組み立てられたキャリアが外部へと搬送される。
【０１０５】
幾つかの実施の形態においては、本発明は、第１のコンポーネントと、その第１のコンポーネントによって包囲されている第２のコンポーネントとを含むワークピースをクリーニングするためのシステムに関する。システムは、ワークピースの第１のコンポーネントをクリーニングするように機能する第１のチャンバと、ワークピースの第２のコンポーネントをクリーニングするように機能する第２のチャンバと、クリーニングが行われた後に第１のコンポーネント及び第２のコンポーネントを組み立てるように機能する第３のチャンバと、不活性ガスを第３のチャンバに供給するように機能する、第３のチャンバと接続されている第１のガス供給部と、不活性ガスを第１のコンポーネント又は第２のコンポーネントの内部に供給するように機能する、第３のチャンバと接続されている第２のガス供給部とを含むことができる。第２のガス供給部を、第１のコンポーネントの開口部と接続するために、第３のチャンバ内へと突出させることができる。
【０１０６】
図２４Ａ及び図２４Ｂには、本発明の一つの実施の形態による、対象物を組み立てるための例示的なフローチャートが示されている。図２４Ａにおいては、オペレーション２４０により、対象物のコンポーネントがアセンブリチャンバへと運ばれる。オペレーション２４１により、アセンブリチャンバが不活性ガスでもって加圧される。オペレーション２４２により、不活性ガスを組み立てられた対象物の内部へと流しながら、コンポーネントが一つに組み立てられる。
【０１０７】
図２４Ｂにおいては、オペレーション２４３により、不活性ガスがアセンブリチャンバへと流される。オペレーション２４４により、二重容器キャリアの外側容器の下部コンポーネントがアセンブリチャンバへと搬送され、下部コンポーネントが不活性ガスのノズルと接続される。オペレーション２４５により、内部容器の上部コンポーネント及び下部コンポーネントがアセンブリチャンバへと搬送され、外側容器の下部コンポーネントと接続される。オペレーション２４６により、二重容器キャリアの外側容器の上部コンポーネントがアセンブリチャンバへと搬送される。オペレーション２４７により、不活性ガスがノズルへと流される。オペレーション２４８により、外側容器の上部コンポーネントと外側容器の下部コンポーネントが組み立てられ、組み立てられた外側容器の内部に不活性ガスが充填される。
【０１０８】
幾つかの実施の形態においては、本発明は、第１のコンポーネントと、その第１のコンポーネントによって包囲されている第２のコンポーネントとを含むワークピースをクリーニングするための方法に関する。本方法は、第１のコンポーネントをクリーニングするステップと、第２のコンポーネントをクリーニングするステップと、第１のコンポーネントをチャンバへと搬送するステップと、第２のコンポーネントをチャンバへと搬送するステップと、チャンバを不活性ガスでもって加圧するステップと、第１のコンポーネント及び第２のコンポーネントを組み立て、組み立てられたワークピースを形成するステップとを備えることができる。第１のコンポーネントはチャンバの外側においてガス供給部と接続されている管路に配置される。本方法は更に、不活性ガスを管路へと流すステップを備えることができる。
【０１０９】
一つの実施の形態においては、本発明は、対象物内部の容積に窒素をパージする、クリーニングシステムのための充填ステーション及び排出ステーションに関する。キャリアの内側の対象物に関する清浄度のレベルを維持するために、内部容積には窒素のような不活性ガスが常にパージされる。従って本発明は、内部容積の一定のパージを保証する、搬送ステーション／保管ステーションに対する不活性ガスパージに関する。
【０１１０】
図２５には、本発明の一つの実施の形態による、パージノズルを有している例示的な搬送ステーション及び／又は保管ステーションが示されている。二重容器キャリア２５０はステーション２５２内の窒素パージノズル２５４に配置される。窒素２５５を二重容器キャリア２５０の下部支持部へと供給する窒素ノズル２３４によって、外側容器の内部容積には常に新鮮な窒素がパージされる。
【０１１１】
幾つかの実施の形態においては、本発明は、第１のコンポーネントと、その第１のコンポーネントによって包囲されている第２のコンポーネントとを含むワークピースをクリーニングするためのシステムに関する。システムは、ワークピースの第１のコンポーネントをクリーニングするように機能する第１のチャンバと、ワークピースの第２のコンポーネントをクリーニングするように機能する第２のチャンバと、組み立てられたワークピースを支持するように機能する第３のチャンバと、不活性ガスを組み立てられたワークピースの内部に供給するように機能する、第３のチャンバと接続されているガス供給部とを含むことができる。ガス供給部を、第１のコンポーネントの開口部と接続するために、第３のチャンバ内へと突出させることができる。
【０１１２】
幾つかの実施の形態においては、ワークピースをクリーニングするための方法は、第１のコンポーネントをクリーニングするステップと、第２のコンポーネントをクリーニングするステップと、第１のコンポーネント及び第２のコンポーネントを組み立て、組み立てられたワークピースを形成するステップと、不活性ガスを組み立てられたワークピースの内部に流すステップとを備えることができる。第１のコンポーネントを、チャンバの外側においてガス供給部と接続されている管路に配置することができる。
【０１１３】
幾つかの実施の形態においては、本発明は、ＥＵＶキャリアのためのクリーニングシステムに関し、このクリーニングシステムは、（クリーニングされるべきキャリアのための）入口及び（クリーニングされたキャリアのための）出口のための別個の環境、別個の環境のためのフローダイナミクス、キャリアの異なる部品のための別個のクリーニングチャンバ、キャリアの異なる部品間の相互汚染を最小にするためのロボットハンドラ、ガス発生分子を除去するための脱ガス及び汚染除去チャンバ、並びに、パージガスをキャリアの内部に供給するためのパージステーションを含んでいる。
【０１１４】
単一スループットクリーニングシステム、二重スループットクリーニングシステム、ハイブリッド型クリーニングシステム及び低清浄クリーニングシステムを含む、種々の構成を使用することができる。
【０１１５】
図２６Ａ及び図２６Ｂには、本発明の幾つか実施の形態による、クリーナの実施例が示されている。図２６Ａには標準的なクリーニングシステムが示されており、このクリーニングシステムは、クリーニングされるべきキャリアのための入口側の環境２６２、例えば、汚い又は清浄でない環境、複数のクリーニングチャンバ２６４Ａから２６４Ｃ、クリーニングされたキャリアのための出口側の環境２６２、例えば清浄な環境、並びに、ガス発生分子を除去するための脱ガスチャンバ２６８を含んでいる。
【０１１６】
図２６Ｂには、同一の入口側の環境２６１、二つのクリーニングセクション２６３Ａから２６３Ｃ及び２６５Ａから２６５Ｃ、二つの出口側の環境２６７及び２６９、並びに、二つの脱ガスチャンバ２６８を共有する、スループットが２倍にされたクリーニングシステムが示されている。クリーニングされるべきキャリアが入口側の環境２６１へと運ばれ、クリーニングチャンバセクションの内のいずれかへと搬送され、脱ガスが行われた後に出口側の環境２６７又は２６９へと運び出される。
【０１１７】
図２７には、本発明の幾つか実施の形態による、ハイブリッド型クリーニングシステムの実施例が示されている。ハイブリッド型クリーニングシステムは、出口側の清浄な環境２７６と入口側の清浄でない環境２７２との間に配置されている複数のクリーニングチャンバ２７１Ａから２７１Ｃ、並びに、同一の入口側の環境及び出口側の環境２７２を共有するクリーニングチャンバ２７３を含むことができる。従って、慣例のレチクルボックス、例えばレチクルＳＭＩＦポッドを入口側の環境２７２へと運び、クリーニングチャンバ２７３においてクリーニングし、同一の入口側の環境２７２へと運び出すことができる。ＥＵＶキャリアを入口側の環境２７２へと運び、別個のクリーニングチャンバ２７４Ａから２７４Ｃにおいてクリーニングし、脱ガスチャンバ２７８において脱ガスが行われた後に出口側の環境２７６へと運び出すことができる。
【０１１８】
図２８には、本発明の幾つか実施の形態による、クリーニングシステムの実施例が示されている。クリーニングシステムは、別個のクリーニングチャンバ２８４Ａから２８４Ｃと共に、同一の入口側の環境及び出口側の環境２８１を利用することができる。ＥＵＶキャリアを入口側の環境２８１へと運び、別個のクリーニングチャンバ２８４Ａから２８４Ｃにおいてクリーニングし、続いて、同一の環境２８１へと運び出し、脱ガスチャンバ２８８において脱ガスを行うことができる。共有環境２８１における汚染を回避するために、入口と出口を環境２８１の異なる位置に配置し、出口の位置から入口の位置へと層流を提供することが考慮されるべきである。
【図１】
2020107903.tif 000003
【図２】
2020107903.tif 000004
【図３Ａ】
2020107903.tif 000005
【図３Ｂ】
2020107903.tif 000006
【図３Ｃ】
2020107903.tif 000007
【図４Ａ】
2020107903.tif 000008
【図４Ｂ】
2020107903.tif 000009
【図５Ａ】
2020107903.tif 000010
【図５Ｂ】
2020107903.tif 000011
【図６Ａ】
2020107903.tif 000012
【図６Ｂ】
2020107903.tif 000013
【図７】
2020107903.tif 000014
【図８Ａ】
2020107903.tif 000015
【図８Ｂ】
2020107903.tif 000016
【図９】
2020107903.tif 000017
【図１０Ａ】
2020107903.tif 000018
【図１０Ｂ】
2020107903.tif 000019
【図１１】
2020107903.tif 000020
【図１２Ａ】
2020107903.tif 000021
【図１２Ｂ】
2020107903.tif 000022
【図１３Ａ】
2020107903.tif 000023
【図１３Ｂ】
2020107903.tif 000024
【図１３Ｃ】
2020107903.tif 000025
【図１４Ａ】
2020107903.tif 000026
【図１４Ｂ】
2020107903.tif 000027
【図１５】
2020107903.tif 000028
【図１６Ａ】
2020107903.tif 000029
【図１６Ｂ】
2020107903.tif 000030
【図１６Ｃ】
2020107903.tif 000031
【図１７Ａ】
2020107903.tif 000032
【図１７Ｂ】
2020107903.tif 000033
【図１８Ａ】
2020107903.tif 000034
【図１８Ｂ】
2020107903.tif 000035
【図１８Ｃ】
2020107903.tif 000036
【図１９Ａ】
2020107903.tif 000037
【図１９Ｂ】
2020107903.tif 000038
【図２０Ａ】
2020107903.tif 000039
【図２０Ｂ】
2020107903.tif 000040
【図２１Ａ】
2020107903.tif 000041
【図２１Ｂ】
2020107903.tif 000042
【図２２Ａ】
2020107903.tif 000043
【図２２Ｂ】
2020107903.tif 000044
【図２３Ａ】
2020107903.tif 000045
【図２３Ｂ】
2020107903.tif 000046
【図２４Ａ】
2020107903.tif 000047
【図２４Ｂ】
2020107903.tif 000048
【図２５】
2020107903.tif 000049
【図２６Ａ】
2020107903.tif 000050
【図２６Ｂ】
2020107903.tif 000051
【図２７】
2020107903.tif 000052
【図２８】
2020107903.tif 000053
【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
第１のコンポーネントと、該第１のコンポーネントによって包囲されている第２のコンポーネントとを含むワークピースをクリーニングするためのシステムにおいて、
前記システムは、
前記第１のコンポーネントをクリーニングするように機能する第１のチャンバと、
前記第２のコンポーネントをクリーニングするように機能する第２のチャンバと、
前記第１のチャンバ及び前記第２のチャンバと接続されている第１のステーションとを含み、
前記第１のステーションは、前記第１のコンポーネントを前記第１のステーションから前記第１のチャンバへと搬送し、且つ、前記第２のコンポーネントを前記第１のステーションから前記第２のチャンバへと搬送するように機能する第１のロボット機構を含むことを特徴とする、システム。
【請求項２】
前記第１のコンポーネント及び前記第２のコンポーネントはそれぞれ蓋及びボディを含み、
前記第１のチャンバ及び前記第２のチャンバはそれぞれ、前記蓋をクリーニングするように機能する第１の蓋チャンバ及び前記ボディをクリーニングするように機能する第１のボディチャンバを含む、請求項１に記載のシステム。
【請求項３】
前記第１のチャンバは第１の入口及び第１の出口を含み、前記第２のチャンバは第２の入口及び第２の出口を含み、前記第１のステーションは前記第１の入口及び前記第２の入口と接続されており、
前記システムは更に、
前記第１の出口及び前記第２の出口と接続されている第２のステーションを含み、
前記第２のステーションは、前記第１のコンポーネントを前記第１のチャンバから前記第２のステーションへと搬送し、且つ、前記第２のコンポーネントを前記第２のチャンバから前記第２のステーションへと搬送するように機能する第２のロボット機構を含む、請求項１に記載のシステム。
【請求項４】
前記第１のステーションは前記第２のステーションから隔離されている、請求項３に記載のシステム。
【請求項５】
更に、クリーニング後に前記第１のコンポーネント及び前記第２のコンポーネントの脱ガスを実現するように機能する、一つ又は複数の第３のチャンバを含む、請求項１に記載のシステム。
【請求項６】
更に、クリーニング後に前記第１のコンポーネント及び前記第２のコンポーネントの組み立てを実現するように機能する、一つ又は複数の第４のチャンバを含む、請求項１に記載のシステム。
【請求項７】
第１のコンポーネントと、該第１のコンポーネントによって包囲されている第２のコンポーネントとを含むワークピースをクリーニングするための方法において、
ワークピースの前記第１のコンポーネントを第１のステーションから第１のチャンバへと搬送するステップと、
前記ワークピースの第２のコンポーネントを前記第１のステーションから第２のチャンバへと搬送するステップと、
前記第１のチャンバ及び前記第２のチャンバにおいて、前記第１のコンポーネント及び前記第２のコンポーネントをクリーニングするステップとを備えていることを特徴とする、方法。
【請求項８】
前記第１のチャンバは第１の入口及び第１の出口を含み、
前記第２のチャンバは第２の入口及び第２の出口を含み、
前記第１のコンポーネントは、前記第１のステーションから前記第１の入口を介して前記第１のチャンバへと搬送され、
前記第２のコンポーネントは、前記第１のステーションから前記第２の入口を介して前記第２のチャンバへと搬送され、
前記方法は更に、
前記第１のコンポーネントを、前記第１のチャンバから前記第１の出口を介して第２のステーションへと搬送するステップと、
前記第２のコンポーネントを、前記第２のチャンバから前記第２の出口を介して前記第２のステーションへと搬送するステップとを備えている、請求項７に記載の方法。
【請求項９】
更に、クリーニング後に、前記第１のコンポーネント及び前記第２のコンポーネントの脱ガスのために、該第１のコンポーネント及び該第２のコンポーネントを搬送するステップを備えている、請求項７に記載の方法。
【請求項１０】
更に、前記第１のコンポーネント及び前記第２のコンポーネントが組み立てられるように機能する第４のチャンバに前記第１のコンポーネント及び前記第２のコンポーネントを搬送するステップを備えている、請求項７に記載の方法。
【手続補正書】
【提出日】令和2年4月10日(2020.4.10)
【手続補正１】
【補正対象書類名】特許請求の範囲
【補正対象項目名】全文
【補正方法】変更
【補正の内容】
【特許請求の範囲】
【請求項１】
第１のコンポーネントと、該第１のコンポーネントによって包囲されている第２のコンポーネントとを含むワークピースをクリーニングするためのシステムにおいて、
前記システムは、
前記第１のコンポーネントをクリーニングするように機能する第１のチャンバと、
前記第２のコンポーネントをクリーニングするように機能する第２のチャンバと、
前記第１のチャンバ及び前記第２のチャンバと接続されている第１のステーションとを含み、
前記第１のステーションは、前記第１のコンポーネントを前記第１のステーションから前記第１のチャンバへと搬送し、且つ、前記第２のコンポーネントを前記第１のステーションから前記第２のチャンバへと搬送するように機能する第１のロボット機構を含み、
前記第１のコンポーネント及び前記第２のコンポーネントはそれぞれ、蓋及びボディを含み、
前記第１のチャンバ及び前記第２のチャンバはそれぞれ、前記蓋をクリーニングするように機能する第１の蓋チャンバと、前記ボディをクリーニングするように機能する第１のボディチャンバとを含む、
ことを特徴とする、システム。
【請求項２】
前記第１のチャンバは第１の入口及び第１の出口を含み、前記第２のチャンバは第２の入口及び第２の出口を含み、前記第１のステーションは前記第１の入口及び前記第２の入口と接続されており、
前記システムは更に、
前記第１の出口及び前記第２の出口と接続されている第２のステーションを含み、
前記第２のステーションは、前記第１のコンポーネントを前記第１のチャンバから前記第２のステーションへと搬送し、且つ、前記第２のコンポーネントを前記第２のチャンバから前記第２のステーションへと搬送するように機能する第２のロボット機構を含む、請求項１に記載のシステム。
【請求項３】
前記第１のステーションは前記第２のステーションから隔離されている、請求項２に記載のシステム。
【請求項４】
更に、クリーニング後に前記第１のコンポーネント及び前記第２のコンポーネントの脱ガスを実現するように機能する、一つ又は複数の第３のチャンバを含む、請求項１に記載のシステム。
【請求項５】
更に、クリーニング後に前記第１のコンポーネント及び前記第２のコンポーネントの組み立てを実現するように機能する、一つ又は複数の第４のチャンバを含む、請求項１に記載のシステム。
【請求項６】
第１のコンポーネントと、該第１のコンポーネントによって包囲されている第２のコンポーネントとを含むワークピースをクリーニングするための方法において、
ワークピースの前記第１のコンポーネントを第１のステーションから第１のチャンバへと搬送するステップと、
前記ワークピースの第２のコンポーネントを前記第１のステーションから第２のチャンバへと搬送するステップと、
前記第１のチャンバ及び前記第２のチャンバにおいて、前記第１のコンポーネント及び前記第２のコンポーネントをクリーニングするステップとを備えており、
前記第１のコンポーネント及び前記第２のコンポーネントはそれぞれ、蓋及びボディを含み、
前記第１のチャンバ及び前記第２のチャンバはそれぞれ、前記蓋をクリーニングするように機能する第１の蓋チャンバと、前記ボディをクリーニングするように機能する第１のボディチャンバとを含む、
いることを特徴とする、方法。
【請求項７】
前記第１のチャンバは第１の入口及び第１の出口を含み、
前記第２のチャンバは第２の入口及び第２の出口を含み、
前記第１のコンポーネントは、前記第１のステーションから前記第１の入口を介して前記第１のチャンバへと搬送され、
前記第２のコンポーネントは、前記第１のステーションから前記第２の入口を介して前記第２のチャンバへと搬送され、
前記方法は更に、
前記第１のコンポーネントを、前記第１のチャンバから前記第１の出口を介して第２のステーションへと搬送するステップと、
前記第２のコンポーネントを、前記第２のチャンバから前記第２の出口を介して前記第２のステーションへと搬送するステップとを備えている、請求項６に記載の方法。
【請求項８】
更に、クリーニング後に、前記第１のコンポーネント及び前記第２のコンポーネントの脱ガスのために、該第１のコンポーネント及び該第２のコンポーネントを搬送するステップを備えている、請求項６に記載の方法。
【請求項９】
更に、前記第１のコンポーネント及び前記第２のコンポーネントが組み立てられるように機能する第４のチャンバに前記第１のコンポーネント及び前記第２のコンポーネントを搬送するステップを備えている、請求項６に記載の方法。